(57)【要約】  非割り当て周波数帯域または共有周波数帯域を用いたセルを効率的に制御する。端末装置は、ＰＤＣＣＨを受信する受信部と、サービングセルでＰＵＳＣＨを送信する送信部と、ＰＵＳＣＨの送信が指示されたサブフレームの前に乱数に基づいた回数分ＣＣＡチェックを行う第一のＬＢＴ、または、一回のみＣＣＡチェックを行う第二のＬＢＴを行うＣＣＡチェック部を備える。端末装置は、所定の条件に基づいて、第一のＬＢＴと第二のＬＢＴを切り替える。
2017022778.tif 000002
【特許請求の範囲】
【請求項１】
端末装置であって、
ＰＤＣＣＨを受信する受信部と、
サービングセルでＰＵＳＣＨを送信する送信部と、
前記ＰＵＳＣＨの送信が指示されたサブフレームの前に乱数に基づいた回数分ＣＣＡチェックを行う第一のＬＢＴ、または、一回のみＣＣＡチェックを行う第二のＬＢＴを行うＣＣＡチェック部を備え、
所定の条件に基づいて、前記第一のＬＢＴと前記第二のＬＢＴを切り替える
端末装置。
【請求項２】
前記ＰＤＣＣＨの情報は、１ビットであり
前記ＰＤＣＣＨの情報が１であった場合に、前記ＰＵＳＣＨの送信が指示されたサブフレームの前に前記第一のＬＢＴを行い、
前記ＰＤＣＣＨの情報が０であった場合に、前記ＰＵＳＣＨの送信が指示されたサブフレームの前に前記第二のＬＢＴを行う、
請求項１に記載の端末装置。
【請求項３】
前記ＰＵＳＣＨを送信するサブフレームの直前のサブフレームで下りリンク送信バーストを検出しなかった場合に、前記ＰＵＳＣＨの送信が指示されたサブフレームの前に前記第一のＬＢＴを行い、
前記ＰＵＳＣＨを送信するサブフレームの直前のサブフレームで下りリンク送信バーストを検出した場合に、前記ＰＵＳＣＨの送信が指示されたサブフレームの前に前記第二のＬＢＴを行う、
請求項１に記載の端末装置。
【請求項４】
前記サービングセルとは異なるサービングセルでＰＤＣＣＨのモニタすることが設定された場合に、前記ＰＵＳＣＨの送信が指示されたサブフレームの前に前記第一のＬＢＴを行い、
前記サービングセルとは異なるサービングセルでＰＤＣＣＨのモニタすることが設定されなかった場合に、前記ＰＵＳＣＨの送信が指示されたサブフレームの前に前記第二のＬＢＴを行う、
請求項１に記載の端末装置。
【請求項５】
前記ＰＵＳＣＨを送信するサブフレームの直前のサブフレームでＰＵＳＣＨを送信していない場合に、前記ＰＵＳＣＨの送信が指示されたサブフレームの前に前記第一のＬＢＴを行い、
前記ＰＵＳＣＨを送信するサブフレームの直前のサブフレームでＰＵＳＣＨを送信している場合に、前記ＰＵＳＣＨの送信が指示されたサブフレームの前でＬＢＴを行わない、
請求項１に記載の端末装置。
【請求項６】
端末装置と通信する基地局装置であって、
ＰＤＣＣＨを送信する送信部と、
サービングセルでＰＵＳＣＨを受信する受信部を備え、
前記ＰＵＳＣＨの送信を指示したサブフレームの前に乱数に基づいた回数ＣＣＡチェックを行う第一のＬＢＴと一回のみＣＣＡチェックを行う第二のＬＢＴの切り替えを前記端末装置に指示する
基地局装置。
【請求項７】
前記ＰＤＣＣＨの情報は、１ビットであり、
前記端末装置に、
前記ＰＤＣＣＨの情報が１であった場合に、前記ＰＵＳＣＨの送信を指示したサブフレームの前に前記第一のＬＢＴを行い、
前記ＰＤＣＣＨの情報が０であった場合に、前記ＰＵＳＣＨの送信を指示したサブフレームの前に前記第二のＬＢＴを行う
ことを指示する、
請求項６に記載の基地局装置。
【請求項８】
前記端末装置に、
前記サービングセルとは異なるサービングセルでＰＤＣＣＨのモニタすることを設定した場合に、前記ＰＵＳＣＨの送信を指示したサブフレームの前に前記第一のＬＢＴを行い、
前記サービングセルとは異なるサービングセルでＰＤＣＣＨのモニタすることを設定しなかった場合に、前記ＰＵＳＣＨの送信を指示したサブフレームの前に前記第二のＬＢＴを行う
ことを指示する、
請求項６に記載の基地局装置。
【請求項９】
端末装置に用いられる通信方法であって、
ＰＤＣＣＨを受信する工程と、
サービングセルでＰＵＳＣＨを送信する工程と、
前記ＰＵＳＣＨの送信が指示されたサブフレームの前に乱数に基づいた回数分ＣＣＡチェックを行う第一のＬＢＴ、または、一回のみＣＣＡチェックを行う第二のＬＢＴを行う工程を含み、
所定の条件に基づいて、前記第一のＬＢＴと前記第二のＬＢＴを切り替える
通信方法。
【請求項１０】
端末装置と通信する基地局装置用いられる通信方法であって、
ＰＤＣＣＨを送信する工程と、
サービングセルでＰＵＳＣＨを受信する工程を含み、
前記ＰＵＳＣＨの送信を指示したサブフレームの前に乱数に基づいた回数ＣＣＡチェックを行う第一のＬＢＴと一回のみＣＣＡチェックを行う第二のＬＢＴの切り替えを前記端末装置に指示する
通信方法。
【発明の詳細な説明】
【技術分野】
【０００１】
本発明の実施形態は、効率的な通信を実現する端末装置、基地局装置および通信方法の技術に関する。
【背景技術】
【０００２】
標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）において、ＯＦＤＭ（Ｏｒｔｈｏｇｏｎａｌ  Ｆｒｅｑｕｅｎｃｙ−Ｄｉｖｉｓｉｏｎ  Ｍｕｌｔｉｐｌｅｘｉｎｇ）通信方式やリソースブロックと呼ばれる所定の周波数・時間単位の柔軟なスケジューリングの採用によって、高速な通信を実現させたＥｖｏｌｖｅｄ  Ｕｎｉｖｅｒｓａｌ  Ｔｅｒｒｅｓｔｒｉａｌ  Ｒａｄｉｏ  Ａｃｃｅｓｓ（以降Ｅ−ＵＴＲＡと称する）の標準化が行なわれた。【０００３】
また、３ＧＰＰでは、より高速なデータ伝送を実現し、Ｅ−ＵＴＲＡに対して上位互換性を持つＡｄｖａｎｃｅｄ  Ｅ−ＵＴＲＡの検討を行っている。Ｅ−ＵＴＲＡでは、基地局装置がほぼ同一のセル構成（セルサイズ）から成るネットワークを前提とした通信システムであったが、Ａｄｖａｎｃｅｄ  Ｅ−ＵＴＲＡでは、異なる構成の基地局装置（セル）が同じエリアに混在しているネットワーク（異種無線ネットワーク、ヘテロジニアスネットワーク（Ｈｅｔｅｒｏｇｅｎｅｏｕｓ  Ｎｅｔｗｏｒｋ））を前提とした通信システムの検討が行われている。なお、Ｅ−ＵＴＲＡはＬＴＥ（Long Term Evolution）とも呼称され、Ａｄｖａｎｃｅｄ  Ｅ−ＵＴＲＡはＬＴＥ−Ａｄｖａｎｃｅｄとも呼称される。また、ＬＴＥは、ＬＴＥ−Ａｄｖａｎｃｅｄを含めた総称とすることもできる。【０００４】
ヘテロジニアスネットワークのように、セル半径の大きいセル（マクロセル）と、セル半径がマクロセルよりも小さいセル（小セル、スモールセル）とが配置される通信システムにおいて、端末装置が、マクロセルとスモールセルとに同時に接続して通信を行うキャリアアグリゲーション（ＣＡ）技術およびデュアルコネクティビティ（ＤＣ）技術が規定されている（非特許文献１）。【０００５】
一方、非特許文献２において、ライセンス補助アクセス（ＬＡＡ；Licensed-Assisted Access）が、検討されている。ＬＡＡでは、例えば、無線ＬＡＮ（Local Area Network）が利用している非割り当て周波数帯域（Unlicensed spectrum）が、ＬＴＥとして用いられる。具体的には、非割り当て周波数帯域がセカンダリセル（セカンダリコンポーネントキャリア）として設定される。ＬＡＡとして用いられているセカンダリセルは、割り当て周波数帯域（Licensed spectrum）で設定されるプライマリセル（プライマリコンポーネントキャリア）によって、接続、通信および／または設定に関して、アシストされる。ＬＡＡによって、ＬＴＥで利用可能な周波数帯域が広がるため、広帯域伝送が可能になる。なお、ＬＡＡは、所定のオペレータ間で共有される共有周波数帯域（shared spectrum）でも用いられる。
【先行技術文献】
【非特許文献】
【０００６】
【非特許文献１】3rd Generation Partnership Project; Technical Specification Group Radio Access Network; Evolved Universal Terrestrial Radio Access (E-UTRA); Physical layer procedures (Release 12), 3GPP TS 36.213 V12.4.0 (2014-12).
【非特許文献２】3rd Generation Partnership Project; Technical Specification Group Radio Access Network; Study on Licensed-Assisted Access to Unlicensed Spectrum; (Release 13) 3GPP TR 36.889 V1.0.1 (2015-6).
【発明の概要】
【発明が解決しようとする課題】
【０００７】
ＬＡＡでは、非割り当て周波数帯域または共有周波数帯域が用いられる場合、その周波数帯域は他のシステムおよび／または他のオペレータと共有することになる。しかしながら、ＬＴＥは、割り当て周波数帯域または非共有周波数帯域で用いられることを前提に設計されている。そのため、非割り当て周波数帯域または共有周波数帯域で従来のＬＴＥを用いることはできない。【０００８】
本発明のいくつかの態様は上記の点に鑑みてなされたものであり、その目的は、非割り当て周波数帯域または共有周波数帯域を用いたセルを効率的に制御することができる端末装置、基地局装置、および通信方法を提供することである。
【課題を解決するための手段】
【０００９】
（１）上記の目的を達成するために、本発明のいくつかの態様は、以下のような手段を講じた。すなわち、本発明の一様態による端末装置は、ＰＤＣＣＨを受信する受信部と、サービングセルでＰＵＳＣＨを送信する送信部と、ＰＵＳＣＨの送信が指示されたサブフレームの前に乱数に基づいた回数分ＣＣＡチェックを行う第一のＬＢＴ、または、一回のみＣＣＡチェックを行う第二のＬＢＴを行うＣＣＡチェック部を備える。端末装置は、所定の条件に基づいて、第一のＬＢＴと第二のＬＢＴを切り替える。【００１０】
（２）また、本発明の一様態による基地局装置は、端末装置と通信する基地局装置であって、ＰＤＣＣＨを送信する送信部と、サービングセルでＰＵＳＣＨを受信する受信部を備える。基地局装置は、ＰＵＳＣＨの送信を指示したサブフレームの前に乱数に基づいた回数ＣＣＡチェックを行う第一のＬＢＴと一回のみＣＣＡチェックを行う第二のＬＢＴの切り替えを端末装置に指示する。【００１１】
（３）また、本発明の一様態による通信方法は、端末装置で用いられる通信方法であって、ＰＤＣＣＨを受信する工程と、サービングセルでＰＵＳＣＨを送信する工程と、ＰＵＳＣＨの送信が指示されたサブフレームの前に乱数に基づいた回数分ＣＣＡチェックを行う第一のＬＢＴ、または、一回のみＣＣＡチェックを行う第二のＬＢＴを行う工程を含む。通信方法は、所定の条件に基づいて、第一のＬＢＴと第二のＬＢＴを切り替える。【００１２】
（４）また、本発明の一様態による通信方法は、端末装置と通信する基地局装置で用いられる通信方法であって、ＰＤＣＣＨを送信する工程と、サービングセルでＰＵＳＣＨを受信する工程を含む。通信方法は、ＰＵＳＣＨの送信を指示したサブフレームの前に乱数に基づいた回数ＣＣＡチェックを行う第一のＬＢＴと一回のみＣＣＡチェックを行う第二のＬＢＴの切り替えを端末装置に指示する。
【発明の効果】
【００１３】
この発明のいくつかの態様によれば、基地局装置と端末装置が通信する無線通信システムにおいて、伝送効率を向上させることができる。
【図面の簡単な説明】
【００１４】
【図１】本実施形態に係る下りリンクの無線フレーム構成の一例を示す図である。
【図２】本実施形態に係る上りリンクの無線フレーム構成の一例を示す図である。
【図３】本実施形態に係る基地局装置２のブロック構成の一例を示す概略図である。
【図４】本実施形態に係る端末装置１のブロック構成の一例を示す概略図である。
【図５】本実施形態に係る下りリンクの信号構成の一例を示す図である。
【図６】本実施形態に係る下りリンク送信のためのＣＣＡの手順の一例を示す図である。
【図７】本実施形態に係る下りリンク送信と上りリンク送信の間隔とＣＣＡの種類の関係の一例を示す図である。
【図８】本実施形態に係る上りリンク送信のためのＣＣＡの手順の一例を示す図である。
【図９】本実施形態に係る上りリンク送信のためのＣＣＡの手順の一例を示す図である。
【図１０】本実施形態に係る物理上りリンク共用チャネルの周波数多重の一例を示す図である。
【図１１】本実施形態に係る上りリンク送信のためのＣＣＡの一例を示す図である。
【図１２】本実施形態に係る上りリンク送信のためのＣＣＡの一例を示す図である。
【図１３】本実施形態に係る上りリンク送信のためのＣＣＡの一例を示す図である。
【図１４】本実施形態に係る上りリンク送信のためのＣＣＡの一例を示す図である。
【図１５】本実施形態に係る上りリンク送信のためのＣＣＡの手順の一例を示す図である。
【発明を実施するための形態】
【００１５】
＜第１の実施形態＞
本発明の第１の実施形態について以下に説明する。基地局装置（基地局、ノードＢ、ｅＮＢ（eNodeB））と端末装置（端末、移動局、ユーザ装置、ＵＥ（User equipment））とが、セルにおいて通信する通信システム（セルラーシステム）を用いて説明する。
【００１６】
ＥＵＴＲＡおよびＡｄｖａｎｃｅｄ  ＥＵＴＲＡで使用される主な物理チャネル、および物理シグナルについて説明を行なう。チャネルとは信号の送信に用いられる媒体を意味し、物理チャネルとは信号の送信に用いられる物理的な媒体を意味する。本実施形態において、物理チャネルは、信号と同義的に使用され得る。物理チャネルは、ＥＵＴＲＡ、およびＡｄｖａｎｃｅｄ  ＥＵＴＲＡにおいて、今後追加、または、その構造やフォーマット形式が変更または追加される可能性があるが、変更または追加された場合でも本実施形態の説明には影響しない。
【００１７】
ＥＵＴＲＡおよびＡｄｖａｎｃｅｄ  ＥＵＴＲＡでは、物理チャネルまたは物理シグナルのスケジューリングについて無線フレームを用いて管理している。１無線フレームは１０ｍｓであり、１無線フレームは１０サブフレームで構成される。さらに、１サブフレームは２スロットで構成される（すなわち、１サブフレームは１ｍｓ、１スロットは０．５ｍｓである）。また、物理チャネルが配置されるスケジューリングの最小単位としてリソースブロックを用いて管理している。リソースブロックとは、周波数軸を複数サブキャリア（例えば１２サブキャリア）の集合で構成される一定の周波数領域と、一定の送信時間間隔（１スロット）で構成される領域で定義される。
【００１８】
ＥＵＴＲＡおよびＡｄｖａｎｃｅｄ  ＥＵＴＲＡでは、フレーム構成タイプが定義される。フレーム構成タイプ１（Frame structure type 1）は周波数分割複信（Frequency Division Duplex、ＦＤＤ）に適用できる。フレーム構成タイプ２（Frame structure type 2）は時分割複信（Time Division Duplex、ＴＤＤ）に適用できる。
【００１９】
図１は、本実施形態に係る下りリンクの無線フレーム構成の一例を示す図である。下りリンクはＯＦＤＭアクセス方式が用いられる。下りリンクにおいて、下りリンクの信号および／または下りリンクの物理チャネルを送信することを、下りリンク送信と呼称される。下りリンクでは、ＰＤＣＣＨ、ＥＰＤＣＣＨ、物理下りリンク共用チャネル（ＰＤＳＣＨ；Ｐｈｙｓｉｃａｌ  Ｄｏｗｎｌｉｎｋ  Ｓｈａｒｅｄ  ＣＨａｎｎｅｌ）などが割り当てられる。下りリンクの無線フレームは、下りリンクのリソースブロック（ＲＢ；Ｒｅｓｏｕｒｃｅ  Ｂｌｏｃｋ）ペアから構成されている。この下りリンクのＲＢペアは、下りリンクの無線リソースの割り当てなどの単位であり、予め決められた幅の周波数帯（ＲＢ帯域幅）及び時間帯（２個のスロット＝１個のサブフレーム）からなる。１個の下りリンクのＲＢペアは、時間領域で連続する２個の下りリンクのＲＢ（ＲＢ帯域幅×スロット）から構成される。１個の下りリンクのＲＢは、周波数領域において１２個のサブキャリアから構成される。また、時間領域においては、通常のサイクリックプレフィックス（ＣＰ）が付加される場合には７個、通常よりも長いサイクリックプレフィックスが付加される場合には６個のＯＦＤＭシンボルから構成される。周波数領域において１つのサブキャリア、時間領域において１つのＯＦＤＭシンボルにより規定される領域をリソースエレメント（ＲＥ；Ｒｅｓｏｕｒｃｅ  Ｅｌｅｍｅｎｔ）と称する。物理下りリンク制御チャネルは、端末装置識別子、物理下りリンク共用チャネルのスケジューリング情報、物理上りリンク共用チャネルのスケジューリング情報、変調方式、符号化率、再送パラメータなどの下りリンク制御情報が送信される物理チャネルである。なお、ここでは一つの要素キャリア（ＣＣ；Ｃｏｍｐｏｎｅｎｔ  Ｃａｒｒｉｅｒ）における下りリンクサブフレームを記載しているが、ＣＣ毎に下りリンクサブフレームが規定され、下りリンクサブフレームはＣＣ間でほぼ同期している。
【００２０】
下りリンクでは、同期信号が割り当てられる。同期信号とは、主に下りリンクの信号および／またはチャネルを送信する基地局装置と下りリンクの信号および／またはチャネルを受信する端末装置との間において、下りリンクの信号および／またはチャネルのタイミングを調整するために用いられる。具体的には、端末装置において、同期信号は無線フレームまたはサブフレームまたはＯＦＤＭシンボルの受信タイミングを調整するために用いられる。また、端末装置において、同期信号は要素キャリアの中心周波数の検出にも用いられる。また、端末装置において、同期信号はＯＦＤＭシンボルのＣＰ長の検出にも用いられる。また、端末装置において、同期信号は、その同期信号が送信されたセル（基地局装置）の識別にも用いられる。言い換えると、端末装置において、同期信号は、その同期信号が送信されたセルのセル識別子の検出にも用いられる。なお、端末装置において、同期信号はＡＧＣ（Automatic Gain Control）を行うためにも用いられてもよい。なお、端末装置において、同期信号はＦＦＴ（Fast Fourier Transform）を行うためのシンボルの処理タイミングを調整するために用いられてもよい。なお、端末装置において、同期信号は参照信号受信電力（ＲＳＲＰ）の計算に用いられてもよい。なお、同期信号は、その同期信号が送信されるチャネルの確保のために用いられてもよい。
【００２１】
プライマリー同期信号（第１のプライマリー同期信号）とセカンダリー同期信号（第１のセカンダリー同期信号）は、セル捜索を促進するために下りリンクで送信される。セル捜索とは、端末装置がセルとの時間および周波数同期を取得し、そのセルの物理セル識別子（physical layer Cell ID）を検出する、端末装置による手順である。Ｅ−ＵＴＲＡセル捜索は６リソースブロックとそれ以上に相当する柔軟で全体的な送信帯域幅をサポートする。
【００２２】
プライマリー同期信号およびセカンダリー同期信号の配置（位置、マッピング）の具体例を説明する。ｋを周波数領域、ｌを時間領域でリソースエレメントを指定するインデックスと定義する。ここで、NRBDLは下りリンク帯域幅の設定情報から指定されるリソースブロック数、NscRBは周波数領域上リソースブロックサイズであり、１リソースブロックあたりのサブキャリア数、NsymbDLは下りリンクスロットあたりのＯＦＤＭシンボル数である。ここで、ａｋ，ｌはリソースエレメント（ｋ，ｌ）におけるシンボル、ｄは系列であり、ｎは０から２NM−１までの値をとる。また、ｍｏｄは余りを表す関数であり、ＡｍｏｄＢは、ＡをＢで除算したときの余りを示す。また、ここで、プライマリー同期信号およびセカンダリー同期信号において、NMは３１である。また、ここで、プライマリー同期信号およびセカンダリー同期信号において、ｈは１である。
【００２３】
図１に図示されるプライマリー同期信号（Primary Synchronization Signal、ＰＳＳ）とセカンダリー同期信号（Secondary Synchronization Signal、ＳＳＳ）は、下りリンク帯域幅（下りリンクのシステム帯域幅、下りリンク送信帯域幅）に依らず、中心周波数を中心とした６２サブキャリア（６２リソースエレメント）を用いて送信される。なお、システム帯域幅内のサブキャリアの中央に相当する直流サブキャリア（ＤＣサブキャリア）は、プライマリー同期信号およびセカンダリー同期信号として用いられない。なお、プライマリー同期信号とセカンダリー同期信号の両端の５サブキャリア（５リソースエレメント）は予約され、プライマリー同期信号およびセカンダリー同期信号の送信のためには用いられない。上記の送信のために用いられる６２リソースエレメントに加え、両端の５リソースエレメントも含めてプライマリー同期信号およびセカンダリー同期信号と呼称される。
【００２４】
プライマリー同期信号は、周波数領域のZadoff-Chu系列（ZC系列）に基づいて生成される。NZCはZadoff-Chu系列の系列長、uはルートインデックス（Zadoff-Chu root sequence index）である。プライマリー同期信号は、３種類のルートインデックスに基づいて生成される。ルートインデックスは、セル識別子（セルＩＤ、物理層セル識別子、physical-layer cell identity）から導出される３つの固有な識別子と関連付けられる。プライマリー同期信号は、フレーム構成タイプ１において、スロット０（すなわち、サブフレーム０の１番目のスロット）およびスロット１０（すなわち、サブフレーム５の１番目のスロット）の最後のＯＦＤＭシンボルに位置される。プライマリー同期信号は、フレーム構成タイプタイプ２において、サブフレーム１および６の１番目のスロットの３番目のＯＦＤＭシンボルに位置される。
【００２５】
セカンダリー同期信号は、２つの長さ３１の系列の組み合わせで定義される。セカンダリー同期信号に用いられる系列は２つの長さ３１の系列を交互配置して連結した系列である。連結された系列はプライマリー同期信号によって与えられるスクランブル系列によってスクランブルされる。長さ３１の系列は、Ｍ系列に基づいて生成される。長さ３１の系列は、セル識別子から導出される１６８の固有な物理層セル識別子グループに基づいて生成される。プライマリー同期信号によって与えられるスクランブル系列は、３つの固有な識別子に基づいて生成されるＭ系列である。セカンダリー同期信号の系列のリソースエレメントへのマッピングは、フレーム構成に依存する。セカンダリー同期信号は、フレーム構成タイプ１において、スロット０（すなわち、サブフレーム０の１番目のスロット）およびスロット１０（すなわち、サブフレーム５の１番目のスロット）の最後から２番目のＯＦＤＭシンボルに位置される。セカンダリー同期信号は、フレーム構成タイプ２において、スロット１（すなわち、サブフレーム０の２番目のスロット）およびスロット１１（すなわち、サブフレーム５の２番目のスロット）の最後のＯＦＤＭシンボルに位置される。
【００２６】
なお、ここでは図示していないが、下りリンクサブフレームには、物理報知情報チャネルや下りリンク参照信号（ＲＳ：Ｒｅｆｅｒｅｎｃｅ  Ｓｉｇｎａｌ、下りリンクリファレンスシグナル）が配置されてもよい。下りリンク参照信号としては、ＰＤＣＣＨと同じ送信ポートで送信されるセル固有参照信号（ＣＲＳ：Ｃｅｌｌ−ｓｐｅｃｉｆｉｃ  ＲＳ）、チャネル状態情報（ＣＳＩ：Ｃｈａｎｎｅｌ  Ｓｔａｔｅ  Ｉｎｆｏｒｍａｔｉｏｎ）の測定に用いられるチャネル状態情報参照信号（ＣＳＩ−ＲＳ、非ゼロ電力ＣＳＩ−ＲＳ、ＮＺＰ  ＣＳＩ−ＲＳ）、一部のＰＤＳＣＨと同じ送信ポートで送信される端末固有参照信号（ＵＲＳ：ＵＥ−ｓｐｅｃｉｆｉｃ  ＲＳ）、ＥＰＤＣＣＨと同じ送信ポートで送信される復調用参照信号（ＤＭＲＳ：Ｄｅｍｏｄｕｌａｔｉｏｎ  ＲＳ）などがある。また、ＣＲＳが配置されないキャリアであってもよい。このとき一部のサブフレーム（例えば、無線フレーム中の１番目と６番目のサブフレーム）に、時間および／または周波数のトラッキング用の信号として、ＣＲＳの一部の送信ポート（例えば送信ポート０だけ）あるいは全部の送信ポートに対応する信号と同様の信号（拡張同期シグナルと呼称する）を挿入することができる。また、一部のＰＤＳＣＨと同じ送信ポートで送信される端末固有参照信号は、ＰＤＳＣＨに関連付けられる端末固有参照信号またはＤＭＲＳとも呼称される。また、ＥＰＤＣＣＨと同じ送信ポートで送信される復調用参照信号は、ＥＰＤＣＣＨに関連付けられるＤＭＲＳとも呼称される。
【００２７】
なお、ここでは図示していないが、下りリンクサブフレームには、主に同時に送信されるＰＤＳＣＨのレートマッチングのために用いられるゼロ電力ＣＳＩ−ＲＳ（ＺＰ  ＣＳＩ−ＲＳ）や、主にチャネル状態情報の干渉測定に用いられるＣＳＩ干渉マネージメント（ＣＳＩ−ＩＭ）が配置されてもよい。ゼロ電力ＣＳＩ−ＲＳとＣＳＩ−ＩＭは、非ゼロ電力ＣＳＩ−ＲＳが配置可能なリソースエレメントに配置されてもよい。ＣＳＩ−ＩＭは、ゼロ電力ＣＳＩ−ＲＳに重ねて設定されてもよい。
【００２８】
なお、ここでは図示していないが、下りリンクサブフレームには、検出信号（ＤＳ：Ｄｉｓｃｏｖｅｒｙ  Ｓｉｇｎａｌ）が配置されてもよい。あるセルにおいて、ＤＳ（ＤＳ  Ｏｃｃａｓｉｏｎ）は、連続する所定数のサブフレームの時間期間（ＤＳ期間）で構成される。その所定数は、ＦＤＤ（Frame structure type 1）において１から５であり、ＴＤＤ（Frame structure type 2）において２から５である。その所定数は、ＲＲＣのシグナリングによって設定される。また、端末装置はＤＳ期間を測定する区間が設定される。ＤＳ期間を測定する区間の設定を、ＤＭＴＣ（Discovery signals measurement timing configuration）とも呼称される。端末装置がＤＳ期間を測定する区間（ＤＭＴＣ区間、ＤＭＴＣ  Ｏｃｃａｓｉｏｎ）は、６ｍｓ（６サブフレーム）の区間で設定される。端末は、そのＤＳが、ＲＲＣのシグナリングによって設定されるパラメータdmtc-Periodicityで設定されるサブフレーム毎に、送信（マッピング、発生）していると想定する。また、下りリンクサブフレームにおいて、端末は以下の信号を含んで構成されるＤＳの存在を想定する。
（１）そのＤＳ期間における全ての下りリンクサブフレームと全てのスペシャルサブフレームのＤｗＰＴＳ内の、アンテナポート０のＣＲＳ。
（２）ＦＤＤにおいて、そのＤＳ期間の最初のサブフレーム内のＰＳＳ。ＴＤＤにおいて、そのＤＳ期間の２番目のサブフレーム内のＰＳＳ。
（３）そのＤＳ期間の最初のサブフレーム内のＳＳＳ。
（４）そのＤＳ期間のゼロ個以上のサブフレーム内の非ゼロ電力ＣＳＩ−ＲＳ。その非ゼロ電力ＣＳＩ−ＲＳはＲＲＣのシグナリングによって設定される。
【００２９】
端末は、設定されたＤＳに基づいて、測定を行う。その測定は、ＤＳにおけるＣＲＳ、または、ＤＳにおける非ゼロ電力ＣＳＩ−ＲＳを用いて行われる。また、ＤＳに関する設定において、複数の非ゼロ電力ＣＳＩ−ＲＳが設定できる。
【００３０】
図２は、本実施形態に係る上りリンクの無線フレーム構成の一例を示す図である。上りリンクはＳＣ−ＦＤＭＡ方式が用いられる。上りリンクにおいて、上りリンクの信号および／または上りリンクの物理チャネルを送信することを、上りリンク送信と呼称される。つまり、上りリンク送信は、ＰＵＳＣＨの送信と換言できる。上りリンクでは、物理上りリンク共用チャネル（Ｐｈｙｓｉｃａｌ  Ｕｐｌｉｎｋ  Ｓｈａｒｅｄ  Ｃｈａｎｎｅｌ；ＰＵＳＣＨ）、ＰＵＣＣＨなどが割り当てられる。また、ＰＵＳＣＨやＰＵＣＣＨの一部に、上りリンク参照信号（上りリンクリファレンスシグナル）が割り当てられる。上りリンクの無線フレームは、上りリンクのＲＢペアから構成されている。この上りリンクのＲＢペアは、上りリンクの無線リソースの割り当てなどの単位であり、予め決められた幅の周波数帯（ＲＢ帯域幅）及び時間帯（２個のスロット＝１個のサブフレーム）からなる。１個の上りリンクのＲＢペアは、時間領域で連続する２個の上りリンクのＲＢ（ＲＢ帯域幅×スロット）から構成される。１個の上りリンクのＲＢは、周波数領域において１２個のサブキャリアから構成される。時間領域においては、通常のサイクリックプレフィックスが付加される場合には７個、通常よりも長いサイクリックプレフィックスが付加される場合には６個のＳＣ−ＦＤＭＡシンボルから構成される。なお、ここでは一つのＣＣにおける上りリンクサブフレームを記載しているが、ＣＣ毎に上りリンクサブフレームが規定される。伝搬遅延の補正などから、端末装置の視点から、上りリンクの無線フレーム（上りリンクサブフレーム）の先頭は下りリンクの無線フレーム（下りリンクサブフレーム）の先頭よりも前になるように調整される。
【００３１】
同期シグナルは、３種類のプライマリー同期シグナルと、周波数領域で互い違いに配置される３１種類の符号から構成されるセカンダリー同期シグナルとで構成され、プライマリー同期シグナルとセカンダリー同期シグナルの信号の組み合わせによって、基地局装置を識別する５０４通りのセル識別子（物理セルＩＤ（Ｐｈｙｓｉｃａｌ  Ｃｅｌｌ  Ｉｄｅｎｔｉｔｙ；  ＰＣＩ））と、無線同期のためのフレームタイミングが示される。端末装置は、セルサーチによって受信した同期シグナルの物理セルＩＤを特定する。
【００３２】
物理報知情報チャネル（ＰＢＣＨ；  Ｐｈｙｓｉｃａｌ  Ｂｒｏａｄｃａｓｔ  Ｃｈａｎｎｅｌ）は、セル内の端末装置で共通に用いられる制御パラメータ（報知情報（システム情報）；Ｓｙｓｔｅｍ  ｉｎｆｏｒｍａｔｉｏｎ）を通知（設定）する目的で送信される。物理下りリンク制御チャネルで報知情報が送信される無線リソースがセル内の端末装置に対して通知され、物理報知情報チャネルで通知されない報知情報は、通知された無線リソースにおいて、物理下りリンク共用チャネルによって報知情報を通知するレイヤ３メッセージ（システムインフォメーション）が送信される。
【００３３】
報知情報として、セル個別の識別子を示すセルグローバル識別子（ＣＧＩ；  Ｃｅｌｌ  Ｇｌｏｂａｌ  Ｉｄｅｎｔｉｆｉｅｒ）、ページングによる待ち受けエリアを管理するトラッキングエリア識別子（ＴＡＩ；  Ｔｒａｃｋｉｎｇ  Ａｒｅａ  Ｉｄｅｎｔｉｆｉｅｒ）、ランダムアクセス設定情報（送信タイミングタイマーなど）、当該セルにおける共通無線リソース設定情報、周辺セル情報、上りリンクアクセス制限情報などが通知される。
【００３４】
下りリンクリファレンスシグナルは、その用途によって複数のタイプに分類される。例えば、セル固有ＲＳ（Ｃｅｌｌ−ｓｐｅｃｉｆｉｃ  ｒｅｆｅｒｅｎｃｅ  ｓｉｇｎａｌｓ）は、セル毎に所定の電力で送信されるパイロットシグナルであり、所定の規則に基づいて周波数領域および時間領域で周期的に繰り返される下りリンクリファレンスシグナルである。端末装置は、セル固有ＲＳを受信することでセル毎の受信品質を測定する。また、端末装置は、セル固有ＲＳと同時に送信される物理下りリンク制御チャネル、または物理下りリンク共用チャネルの復調のための参照用の信号としてもセル固有ＲＳを使用する。セル固有ＲＳに使用される系列は、セル毎に識別可能な系列が用いられる。
【００３５】
また、下りリンクリファレンスシグナルは下りリンクの伝搬路変動の推定にも用いられる。伝搬路変動の推定に用いられる下りリンクリファレンスシグナルのことをチャネル状態情報リファレンスシグナル（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌｓ；ＣＳＩ−ＲＳ）と称する。また、端末装置に対して個別に設定される下りリンクリファレンスシグナルは、ＵＥ  ｓｐｅｃｉｆｉｃ  Ｒｅｆｅｒｅｎｃｅ  Ｓｉｇｎａｌｓ（ＵＲＳ）、Ｄｅｍｏｄｕｌａｔｉｏｎ  Ｒｅｆｅｒｅｎｃｅ  Ｓｉｇｎａｌ（ＤＭＲＳ）またはＤｅｄｉｃａｔｅｄ  ＲＳ（ＤＲＳ）と称され、拡張物理下りリンク制御チャネル、または物理下りリンク共用チャネルを復調するときのチャネルの伝搬路補償処理のために参照される。
【００３６】
物理下りリンク制御チャネル（ＰＤＣＣＨ；  Ｐｈｙｓｉｃａｌ  Ｄｏｗｎｌｉｎｋ  Ｃｏｎｔｒｏｌ  Ｃｈａｎｎｅｌ）は、各サブフレームの先頭からいくつかのＯＦＤＭシンボル（例えば１〜４ＯＦＤＭシンボル）で送信される。拡張物理下りリンク制御チャネル（ＥＰＤＣＣＨ；  Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）は、物理下りリンク共用チャネルＰＤＳＣＨが配置されるＯＦＤＭシンボルに配置される物理下りリンク制御チャネルである。ＰＤＣＣＨまたはＥＰＤＣＣＨは、端末装置に対して基地局装置のスケジューリングに従った無線リソース割り当て情報や、送信電力の増減の調整量を指示する情報を通知する目的で使用される。以降、単に物理下りリンク制御チャネル（ＰＤＣＣＨ）と記載した場合、特に明記がなければ、ＰＤＣＣＨとＥＰＤＣＣＨの両方の物理チャネルを意味する。
【００３７】
端末装置は、下りリンクデータや上位層制御情報であるレイヤ２メッセージおよびレイヤ３メッセージ（ページング、ハンドオーバーコマンドなど）を送受信する前に、自装置宛の物理下りリンク制御チャネルを監視（モニタ）し、自装置宛の物理下りリンク制御チャネルを受信することで、送信時には上りリンクグラント、受信時には下りリンクグラント（下りリンクアサインメント）と呼ばれる無線リソース割り当て情報を物理下りリンク制御チャネルから取得する必要がある。なお、物理下りリンク制御チャネルは、上述したＯＦＤＭシンボルで送信される以外に、基地局装置から端末装置に対して個別（ｄｅｄｉｃａｔｅｄ）に割り当てられるリソースブロックの領域で送信されるように構成することも可能である。なお、上りリンクグラントは、ＰＵＳＣＨをスケジュールするＤＣＩフォーマットと換言することができる。なお、下りリンクグラントは、ＰＤＳＣＨをスケジュールするＤＣＩフォーマットと換言することができる。ＰＤＳＣＨがスケジュールされるサブフレームは、そのＰＤＳＣＨの受信を指示するＤＣＩフォーマットの復号が成功したサブフレームである。また、ＰＵＳＣＨがスケジュールされるサブフレームは、そのＰＵＳＣＨの送信を指示するＤＣＩフォーマットの復号が成功したサブフレームに関連付けられて指示される。例えば、ＦＤＤセルの場合、ＰＵＳＣＨがスケジュールされるサブフレームは、そのＰＵＳＣＨの送信を指示するＤＣＩフォーマットの復号が成功したサブフレームから４サブフレーム後である。すなわち、ＰＵＳＣＨおよびＰＤＳＣＨがスケジュールされるサブフレームは、その送信または受信が指示されるＤＣＩフォーマットの復号が成功したサブフレームに関連付けられる。
【００３８】
物理上りリンク制御チャネル（ＰＵＣＣＨ；  Ｐｈｙｓｉｃａｌ  Ｕｐｌｉｎｋ  Ｃｏｎｔｒｏｌ  Ｃｈａｎｎｅｌ）は、物理下りリンク共用チャネルで送信された下りリンクデータの受信確認応答（ＨＡＲＱ−ＡＣＫ；Ｈｙｂｒｉｄ  Ａｕｔｏｍａｔｉｃ  Ｒｅｐｅａｔ  ｒｅＱｕｅｓｔ−ＡｃｋｎｏｗｌｅｄｇｅｍｅｎｔあるいはＡＣＫ／ＮＡＣＫ；Ａｃｋｎｏｗｌｅｄｇｅｍｅｎｔ／Ｎｅｇａｔｉｖｅ  Ａｃｋｎｏｗｌｅｄｇｅｍｅｎｔ）や下りリンクの伝搬路（チャネル状態）情報（ＣＳＩ；Ｃｈａｎｎｅｌ  Ｓｔａｔｅ  Ｉｎｆｏｒｍａｔｉｏｎ）、上りリンクの無線リソース割り当て要求（無線リソース要求、スケジューリングリクエスト（ＳＲ；Ｓｃｈｅｄｕｌｉｎｇ  Ｒｅｑｕｅｓｔ））を行なうために使用される。
【００３９】
ＣＳＩは、前記ＣＳＩに対応するサービングセルの受信品質指標（ＣＱＩ：Ｃｈａｎｎｅｌ  Ｑｕａｌｉｔｙ  Ｉｎｄｉｃａｔｏｒ）、プレコーディング行列指標（ＰＭＩ：Ｐｒｅｃｏｄｉｎｇ  Ｍａｔｒｉｘ  Ｉｎｄｉｃａｔｏｒ）、プレコーディングタイプ指標（ＰＴＩ：Ｐｒｅｃｏｄｉｎｇ  Ｔｙｐｅ  Ｉｎｄｉｃａｔｏｒ）、ランク指標（ＲＩ：Ｒａｎｋ  Ｉｎｄｉｃａｔｏｒ）を含み、それぞれ、好適な変調方式および符号化率、好適なプレコーディング行列、好適なＰＭＩのタイプ、好適なランクを指定する（表現する）ために用いられることができる。各Ｉｎｄｉｃａｔｏｒは、Ｉｎｄｉｃａｔｉｏｎと表記されてもよい。また、ＣＱＩおよびＰＭＩには、１つのセル内のすべてのリソースブロックを用いた送信を想定したワイドバンドＣＱＩおよびＰＭＩと、１つのセル内の一部の連続するリソースブロック（サブバンド）を用いた送信を想定したサブバンドＣＱＩおよびＰＭＩとに分類される。また、ＰＭＩは、１つのＰＭＩで１つの好適なプレコーディング行列を表現する通常のタイプのＰＭＩの他に、第１ＰＭＩと第２ＰＭＩの２種類のＰＭＩを用いて１つの好適なプレコーディング行列を表現するタイプのＰＭＩが存在する。
【００４０】
例えば、端末装置１は、下りリンク物理リソースブロックのグループを占領し、ＣＱＩインデックスに対応する変調方式およびトランスポートブロックサイズの組み合わせによって決定される一つのＰＤＳＣＨトランスポートの誤り確率が所定の値（例えば、０．１）を超えないような条件を満たす前記ＣＱＩインデックスを報告する。
【００４１】
尚、ＣＱＩ、ＰＭＩ、および／または、ＲＩの計算に用いられる下りリンク物理リソースブロックはＣＳＩ参照リソース（ＣＳＩ  ｒｅｆｅｒｅｎｃｅ  ｒｅｓｏｕｒｃｅ）と称される。
【００４２】
端末装置１は、ＣＳＩを基地局装置２に報告する。ＣＳＩ報告は、周期的なＣＳＩ報告と非周期的なＣＳＩ報告がある。周期的なＣＳＩ報告では、端末装置１は、上位層で設定されたタイミングにおいて、ＣＳＩを報告する。非周期的なＣＳＩ報告では、端末装置１は、受信した上りリンクＤＣＩフォーマット（上りリンクグラント）またはランダムアクセスレスポンスグラントに含まれるＣＳＩ要求の情報に基づいたタイミングにおいて、ＣＳＩを報告する。
【００４３】
端末装置１は、ＣＱＩおよび／またはＰＭＩおよび／またはＲＩを報告する。尚、端末装置１は、上位層の設定によって、ＰＭＩおよび／またはＲＩを報告しなくてもよい。上位層の設定は、例えば、送信モード、フィードバックモード、報告タイプ、ＰＭＩ／ＲＩを報告するか否かのパラメータ、である。
【００４４】
また、端末装置１は、１つのサービングセルに対して１つまたは複数のＣＳＩプロセス（ＣＳＩ  ｐｒｏｃｅｓｓ）が設定されてもよい。ＣＳＩプロセスは、ＣＳＩの報告と対応付けられて設定される。１つのＣＳＩプロセスは、１つのＣＳＩ−ＲＳリソースと１つのＣＳＩ−ＩＭリソースに関連付けられる。
【００４５】
物理下りリンク共用チャネル（ＰＤＳＣＨ；  Ｐｈｙｓｉｃａｌ  Ｄｏｗｎｌｉｎｋ  Ｓｈａｒｅｄ  Ｃｈａｎｎｅｌ）は、下りリンクデータの他、ランダムアクセスに対する返答（ランダムアクセスレスポンス、ＲＡＲ）、ページングや、物理報知情報チャネルで通知されない報知情報（システムインフォメーション）をレイヤ３メッセージとして端末装置に通知するためにも使用される。物理下りリンク共用チャネルの無線リソース割り当て情報は、物理下りリンク制御チャネルで示される。物理下りリンク共用チャネルは物理下りリンク制御チャネルが送信されるＯＦＤＭシンボル以外のＯＦＤＭシンボルに配置されて送信される。すなわち、物理下りリンク共用チャネルと物理下りリンク制御チャネルは１サブフレーム内で時分割多重されている。
【００４６】
物理上りリンク共用チャネル（ＰＵＳＣＨ；  Ｐｈｙｓｉｃａｌ  Ｕｐｌｉｎｋ  Ｓｈａｒｅｄ  Ｃｈａｎｎｅｌ）は、主に上りリンクデータと上りリンク制御情報を送信し、ＣＳＩやＡＣＫ／ＮＡＣＫなどの上りリンク制御情報を含めることも可能である。また、上りリンクデータの他、上位層制御情報であるレイヤ２メッセージおよびレイヤ３メッセージを端末装置から基地局装置に通知するためにも使用される。また、下りリンクと同様に物理上りリンク共用チャネルの無線リソース割り当て情報は、物理下りリンク制御チャネルで示される。
【００４７】
上りリンクリファレンスシグナル（上りリンク参照信号；Ｕｐｌｉｎｋ  Ｒｅｆｅｒｅｎｃｅ  Ｓｉｇｎａｌ、上りリンクパイロット信号、上りリンクパイロットチャネルとも呼称する）は、基地局装置が、物理上りリンク制御チャネルＰＵＣＣＨおよび／または物理上りリンク共用チャネルＰＵＳＣＨを復調するために使用する復調参照信号（ＤＭＲＳ；Ｄｅｍｏｄｕｌａｔｉｏｎ  Ｒｅｆｅｒｅｎｃｅ  Ｓｉｇｎａｌ）と、基地局装置が、主に、上りリンクのチャネル状態を推定するために使用するサウンディング参照信号（ＳＲＳ；Ｓｏｕｎｄｉｎｇ  Ｒｅｆｅｒｅｎｃｅ  Ｓｉｇｎａｌ）が含まれる。また、サウンディング参照信号には、周期的に送信される周期的サウンディング参照信号（Ｐｅｒｉｏｄｉｃ  ＳＲＳ）と、基地局装置から指示されたときに送信される非周期的サウンディング参照信号（Ａｐｅｒｉｏｄｉｃ  ＳＲＳ）とがある。
【００４８】
物理ランダムアクセスチャネル（ＰＲＡＣＨ；  Ｐｈｙｓｉｃａｌ  Ｒａｎｄｏｍ  Ａｃｃｅｓｓ  Ｃｈａｎｎｅｌ）は、プリアンブル系列を通知（設定）するために使用されるチャネルであり、ガードタイムを有する。プリアンブル系列は、複数のシーケンスによって基地局装置へ情報を通知するように構成される。例えば、６４種類のシーケンスが用意されている場合、６ビットの情報を基地局装置へ示すことができる。物理ランダムアクセスチャネルは、端末装置の基地局装置へのアクセス手段として用いられる。
【００４９】
端末装置は、ＳＲに対する物理上りリンク制御チャネル未設定時の上りリンクの無線リソース要求のため、または、上りリンク送信タイミングを基地局装置の受信タイミングウィンドウに合わせるために必要な送信タイミング調整情報（タイミングアドバンス（Ｔｉｍｉｎｇ  Ａｄｖａｎｃｅ；ＴＡ）コマンドとも呼ばれる）を基地局装置に要求するためなどに物理ランダムアクセスチャネルを用いる。また、基地局装置は、端末装置に対して物理下りリンク制御チャネルを用いてランダムアクセス手順の開始を要求することもできる。
【００５０】
ランダムアクセスレスポンスは、端末装置のランダムアクセスに対する基地局装置からの返答情報である。ランダムアクセスレスポンスは、ＲＡ−ＲＮＴＩによってスクランブルされたＣＲＣを有するＰＤＣＣＨの制御情報によりスケジュールされたＰＤＳＣＨに含まれて基地局装置から送信される。ランダムアクセスレスポンスには、送信タイミング調整情報、上りリンクグラント（ランダムアクセスレスポンスに含まれる上りリンクグラントをランダムアクセスレスポンスグラントとも称する。）、一時的な端末装置の識別子であるＴｅｍｐｏｒａｒｙ  Ｃ−ＲＮＴＩの情報が含まれている。
【００５１】
レイヤ３メッセージは、端末装置と基地局装置のＲＲＣ（無線リソース制御）層でやり取りされる制御平面（ＣＰ（Ｃｏｎｔｒｏｌ−ｐｌａｎｅ、Ｃ−Ｐｌａｎｅ））のプロトコルで取り扱われるメッセージであり、ＲＲＣシグナリングまたはＲＲＣメッセージと同義的に使用され得る。なお、制御平面に対し、ユーザデータ（上りリンクデータおよび下りリンクデータ）を取り扱うプロトコルのことをユーザ平面（ＵＰ（Ｕｓｅｒ−ｐｌａｎｅ、Ｕ−Ｐｌａｎｅ））と称する。ここで、物理層における送信データであるトランスポートブロックは、上位層におけるＣ−ＰｌａｎｅのメッセージとＵ−Ｐｌａｎｅのデータとを含む。なお、それ以外の物理チャネルは、詳細な説明は省略する。
【００５２】
基地局装置によって制御される各周波数の通信可能範囲（通信エリア）はセルとしてみなされる。このとき、基地局装置がカバーする通信エリアは周波数毎にそれぞれ異なる広さ、異なる形状であっても良い。また、カバーするエリアが周波数毎に異なっていてもよい。基地局装置の種別やセル半径の大きさが異なるセルが、同一の周波数および／または異なる周波数のエリアに混在して一つの通信システムを形成している無線ネットワークのことを、ヘテロジニアスネットワークと称する。
【００５３】
端末装置は、セルの中を通信エリアとみなして動作する。端末装置が、あるセルから別のセルへ移動するときは、非無線接続時（非通信中）はセル再選択手順、無線接続時（通信中）はハンドオーバー手順によって別の適切なセルへ移動する。適切なセルとは、一般的に端末装置のアクセスが基地局装置から指定される情報に基づいて禁止されていないと判断したセルであって、かつ、下りリンクの受信品質が所定の条件を満足するセルのことを示す。
【００５４】
また、端末装置と基地局装置は、キャリアアグリゲーションによって複数の異なる周波数バンド（周波数帯）の周波数（コンポーネントキャリア、または周波数帯域）を集約（アグリゲート、ａｇｇｒｅｇａｔｅ）して一つの周波数（周波数帯域）のように扱う技術を適用してもよい。コンポーネントキャリアには、上りリンクに対応する上りリンクコンポーネントキャリアと、下りリンクに対応する下りリンクコンポーネントキャリアとがある。本明細書において、周波数と周波数帯域は同義的に使用され得る。
【００５５】
例えば、キャリアアグリゲーションによって周波数帯域幅が２０ＭＨｚのコンポーネントキャリアを５つ集約した場合、キャリアアグリゲーションを可能な能力を持つ端末装置はこれらを１００ＭＨｚの周波数帯域幅とみなして送受信を行う。なお、集約するコンポーネントキャリアは連続した周波数であっても、全てまたは一部が不連続となる周波数であってもよい。例えば、使用可能な周波数バンドが８００ＭＨｚ帯、２ＧＨｚ帯、３．５ＧＨｚ帯である場合、あるコンポーネントキャリアが８００ＭＨｚ帯、別のコンポーネントキャリアが２ＧＨｚ帯、さらに別のコンポーネントキャリアが３．５ＧＨｚ帯で送信されていてもよい。
【００５６】
また、同一周波数帯の連続または不連続の複数のコンポーネントキャリアを集約することも可能である。各コンポーネントキャリアの周波数帯域幅は端末装置の受信可能周波数帯域幅（例えば２０ＭＨｚ）よりも狭い周波数帯域幅（例えば５ＭＨｚや１０ＭＨｚ）であっても良く、集約する周波数帯域幅が各々異なっていても良い。周波数帯域幅は、後方互換性を考慮して従来のセルの周波数帯域幅のいずれかと等しいことが望ましいが、従来のセルの周波数帯域と異なる周波数帯域幅でも構わない。
【００５７】
また、後方互換性のないコンポーネントキャリア（キャリアタイプ）を集約してもよい。なお、基地局装置が端末装置に割り当てる（設定する、追加する）上りリンクコンポーネントキャリアの数は、下りリンクコンポーネントキャリアの数と同じか少ないことが望ましい。
【００５８】
無線リソース要求のための上りリンク制御チャネルの設定が行われる上りリンクコンポーネントキャリアと、当該上りリンクコンポーネントキャリアとセル固有接続される下りリンクコンポーネントキャリアから構成されるセルは、プライマリセル（ＰＣｅｌｌ：Ｐｒｉｍａｒｙ  ｃｅｌｌ）と称される。また、プライマリセル以外のコンポーネントキャリアから構成されるセルは、セカンダリセル（ＳＣｅｌｌ：Ｓｅｃｏｎｄａｒｙ  ｃｅｌｌ）と称される。端末装置は、プライマリセルでページングメッセージの受信、報知情報の更新の検出、初期アクセス手順、セキュリティ情報の設定などを行う一方、セカンダリセルではこれらを行わないでもよい。
【００５９】
プライマリセルは活性化（Ａｃｔｉｖａｔｉｏｎ）および不活性化（Ｄｅａｃｔｉｖａｔｉｏｎ）の制御の対象外であるが（つまり必ず活性化しているとみなされる）、セカンダリセルは活性化および不活性化という状態（ｓｔａｔｅ）を持ち、これらの状態の変更は、基地局装置から明示的に指定されるほか、コンポーネントキャリア毎に端末装置に設定されるタイマーに基づいて状態が変更される。プライマリセルとセカンダリセルとを合わせてサービングセル（在圏セル）と称する。
【００６０】
なお、キャリアアグリゲーションは、複数のコンポーネントキャリア（周波数帯域）を用いた複数のセルによる通信であり、セル・アグリゲーションとも称される。なお、端末装置は、周波数毎にリレー局装置（またはリピーター）を介して基地局装置と無線接続されても良い。すなわち、本実施形態の基地局装置は、リレー局装置に置き換えることが出来る。
【００６１】
基地局装置は端末装置が該基地局装置で通信可能なエリアであるセルを周波数毎に管理する。１つの基地局装置が複数のセルを管理していてもよい。セルは、端末装置と通信可能なエリアの大きさ（セルサイズ）に応じて複数の種別に分類される。例えば、セルは、マクロセルとスモールセルに分類される。さらに、スモールセルは、そのエリアの大きさに応じて、フェムトセル、ピコセル、ナノセルに分類される。また、端末装置がある基地局装置と通信可能であるとき、その基地局装置のセルのうち、端末装置との通信に使用されるように設定されているセルは在圏セル（Ｓｅｒｖｉｎｇ  ｃｅｌｌ）であり、その他の通信に使用されないセルは周辺セル（Ｎｅｉｇｈｂｏｒｉｎｇ  ｃｅｌｌ）と称される。
【００６２】
言い換えると、キャリアアグリゲーションにおいて、設定された複数のサービングセルは、１つのプライマリセルと１つまたは複数のセカンダリセルとを含む。
【００６３】
プライマリセルは、初期コネクション構築プロシージャが行なわれたサービングセル、コネクション再構築プロシージャを開始したサービングセル、または、ハンドオーバプロシージャにおいてプライマリセルと指示されたセルである。プライマリセルは、プライマリー周波数でオペレーションする。コネクションが（再）構築された時点、または、その後に、セカンダリセルが設定されてもよい。セカンダリセルは、セカンダリー周波数でオペレーションする。なお、コネクションは、ＲＲＣコネクションと称されてもよい。ＣＡをサポートしている端末装置に対して、１つのプライマリセルと１つ以上のセカンダリセルで集約される。
【００６４】
本実施形態では、ＬＡＡ（Licensed Assisted Access）が用いられる。ＬＡＡにおいて、プライマリセルは割り当て周波数が設定され（用いられ）、セカンダリセルの少なくとも１つは非割り当て周波数が設定される。非割り当て周波数が設定されるセカンダリセルは、割り当て周波数が設定されるプライマリセルまたはセカンダリセルからアシストされる。例えば、割り当て周波数が設定されるプライマリセルまたはセカンダリセルは、非割り当て周波数が設定されるセカンダリセルに対して、ＲＲＣのシグナリング、ＭＡＣのシグナリング、および／またはＰＤＣＣＨのシグナリングによって、設定および／または制御情報の通知を行う。本実施形態において、プライマリセルまたはセカンダリセルからアシストされるセルはＬＡＡセルとも呼称される。ＬＡＡセルは、プライマリセルおよび／またはセカンダリセルとキャリアアグリゲーションによって、集約（アシスト）できる。また、ＬＡＡセルをアシストするプライマリセルまたはセカンダリセルはアシストセルとも呼称される。
【００６５】
ＬＡＡセルは、プライマリセルおよび／またはセカンダリセルとデュアルコネクティビティによって、集約（アシスト）されてもよい。
【００６６】
以下では、デュアルコネクティビティの基本構造（アーキテクチャー）について説明する。例えば、端末装置１が、複数の基地局装置２（例えば、基地局装置２−１、基地局装置２−２）と同時に接続している場合を説明する。基地局装置２−１はマクロセルを構成する基地局装置であり、基地局装置２−２はスモールセルを構成する基地局装置であるとする。このように、端末装置１が、複数の基地局装置２に属する複数のセルを用いて同時に接続することをデュアルコネクティビティと称する。各基地局装置２に属するセルは同じ周波数で運用されていてもよいし、異なる周波数で運用されていてもよい。
【００６７】
なお、キャリアアグリゲーションは、複数のセルを一つの基地局装置２が管理し、各セルの周波数が異なるという点がデュアルコネクティビティと異なる。換言すると、キャリアアグリゲーションは、一つの端末装置１と一つの基地局装置２とを、周波数が異なる複数のセルを介して接続させる技術であるのに対し、デュアルコネクティビティは、一つの端末装置１と複数の基地局装置２とを、周波数が同じまたは異なる複数のセルを介して接続させる技術である。
【００６８】
端末装置１と基地局装置２は、キャリアアグリゲーションに適用される技術を、デュアルコネクティビティに対して適用することができる。例えば、端末装置１と基地局装置２は、プライマリセルおよびセカンダリセルの割り当て、活性化／不活性化などの技術をデュアルコネクティビティにより接続されるセルに対して適用してもよい。
【００６９】
デュアルコネクティビティにおいて、基地局装置２−１または基地局装置２−２は、ＭＭＥとＳＧＷとバックボーン回線で接続されている。ＭＭＥは、ＭＭＥ（Ｍｏｂｉｌｉｔｙ  Ｍａｎａｇｅｍｅｎｔ  Ｅｎｔｉｔｙ）に対応する上位の制御局装置であり、端末装置１の移動性管理や認証制御（セキュリティ制御）および基地局装置２に対するユーザデータの経路を設定する役割などを持つ。ＳＧＷは、Ｓｅｒｖｉｎｇ  Ｇａｔｅｗａｙ（Ｓ−ＧＷ）に対応する上位の制御局装置であり、ＭＭＥによって設定された端末装置１へのユーザデータの経路に従ってユーザデータを伝送する役割などを持つ。
【００７０】
また、デュアルコネクティビティにおいて、基地局装置２−１または基地局装置２−２とＳＧＷの接続経路は、ＳＧＷインターフェースと称される。また、基地局装置２−１または基地局装置２−２とＭＭＥの接続経路は、ＭＭＥインターフェースと称される。また、基地局装置２−１と基地局装置２−２の接続経路は、基地局インターフェースと称される。ＳＧＷインターフェースは、ＥＵＴＲＡにおいてＳ１−Ｕインターフェースとも称される。また、ＭＭＥインターフェースは、ＥＵＴＲＡにおいてＳ１−ＭＭＥインターフェースとも称される。また、基地局インターフェースは、ＥＵＴＲＡにおいてＸ２インターフェースとも称される。
【００７１】
デュアルコネクティビティを実現するアーキテクチャーの一例を説明する。デュアルコネクティビティにおいて、基地局装置２−１とＭＭＥは、ＭＭＥインターフェースによって接続されている。また、基地局装置２−１とＳＧＷは、ＳＧＷインターフェースによって接続されている。また、基地局装置２−１は、基地局インターフェースを介して、基地局装置２−２へＭＭＥ、および／またはＳＧＷとの通信経路を提供する。換言すると、基地局装置２−２は、基地局装置２−１を経由してＭＭＥ、および／またはＳＧＷと接続されている。
【００７２】
また、デュアルコネクティビティを実現する別のアーキテクチャーの別の一例を説明する。デュアルコネクティビティにおいて、基地局装置２−１とＭＭＥは、ＭＭＥインターフェースによって接続されている。また、基地局装置２−１とＳＧＷは、ＳＧＷインターフェースによって接続されている。基地局装置２−１は、基地局インターフェースを介して、基地局装置２−２へＭＭＥとの通信経路を提供する。換言すると、基地局装置２−２は、基地局装置２−１を経由してＭＭＥと接続されている。また、基地局装置２−２は、ＳＧＷインターフェースを介してＳＧＷと接続されている。
【００７３】
なお、基地局装置２−２とＭＭＥが、ＭＭＥインターフェースによって直接接続されるような構成であってもよい。
【００７４】
別の観点から説明すると、デュアルコネクティビティとは、少なくとも二つの異なるネットワークポイント（マスター基地局装置（ＭｅＮＢ：Ｍａｓｔｅｒ  ｅＮＢ）とセカンダリー基地局装置（ＳｅＮＢ：Ｓｅｃｏｎｄａｒｙ  ｅＮＢ））から提供される無線リソースを所定の端末装置が消費するオペレーションである。言い換えると、デュアルコネクティビティは、端末装置が、少なくとも２つのネットワークポイントでＲＲＣ接続を行なうことである。デュアルコネクティビティにおいて、端末装置は、ＲＲＣ接続（ＲＲＣ＿ＣＯＮＮＥＣＴＥＤ）状態で、且つ、非理想的バックホール（ｎｏｎ−ｉｄｅａｌ  ｂａｃｋｈａｕｌ）によって接続されてもよい。
【００７５】
デュアルコネクティビティにおいて、少なくともＳ１−ＭＭＥに接続され、コアネットワークのモビリティアンカーの役割を果たす基地局装置をマスター基地局装置と称される。また、端末装置に対して追加の無線リソースを提供するマスター基地局装置ではない基地局装置をセカンダリー基地局装置と称される。マスター基地局装置に関連されるサービングセルのグループをマスターセルグループ（ＭＣＧ：Ｍａｓｔｅｒ  Ｃｅｌｌ  Ｇｒｏｕｐ）、セカンダリー基地局装置に関連されるサービングセルのグループをセカンダリーセルグループ（ＳＣＧ：Ｓｅｃｏｎｄａｒｙ  Ｃｅｌｌ  Ｇｒｏｕｐ）と称される場合もある。なお、セルグループは、サービングセルグループであってもよい。
【００７６】
デュアルコネクティビティにおいて、プライマリセルは、ＭＣＧに属する。また、ＳＣＧにおいて、プライマリセルに相当するセカンダリセルをプライマリセカンダリセル（ｐＳＣｅｌｌ：Ｐｒｉｍａｒｙ  Ｓｅｃｏｎｄａｒｙ  Ｃｅｌｌ）と称する。なお、ｐＳＣｅｌｌをスペシャルセルやスペシャルセカンダリーセル（Ｓｐｅｃｉａｌ  ＳＣｅｌｌ：Ｓｐｅｃｉａｌ  Ｓｅｃｏｎｄａｒｙ  Ｃｅｌｌ）と称する場合もある。スペシャルＳＣｅｌｌ（スペシャルＳＣｅｌｌを構成する基地局装置）には、ＰＣｅｌｌ（ＰＣｅｌｌを構成する基地局装置）の機能の一部（例えば、ＰＵＣＣＨを送受信する機能など）がサポートされてもよい。また、ｐＳＣｅｌｌには、ＰＣｅｌｌの一部の機能だけがサポートされてもよい。例えば、ｐＳＣｅｌｌには、ＰＤＣＣＨを送信する機能がサポートされてもよい。また、ｐＳＣｅｌｌには、ＣＳＳ（共通サーチスペース）またはＵＳＳ（ＵＥ個別サーチスペース）とは異なるサーチスペースを用いて、ＰＤＣＣＨ送信を行なう機能がサポートされてもよい。例えば、ＵＳＳとは異なるサーチスペースは、仕様で規定された値に基づいて決まるサーチスペース、Ｃ−ＲＮＴＩとは異なるＲＮＴＩに基づいて決まるサーチスペース、ＲＮＴＩとは異なる上位レイヤで設定される値に基づいて決まるサーチスペースなどである。また、ｐＳＣｅｌｌは、常に、起動の状態であってもよい。また、ｐＳＣｅｌｌは、ＰＵＣＣＨを受信できるセルである。
【００７７】
デュアルコネクティビティにおいて、データ無線ベアラ（ＤＲＢ：Ｄａｔｅ  Ｒａｄｉｏ  Ｂｅａｒｅｒ）は、ＭｅＮＢとＳｅＮＢで個別に割り当てられてもよい。一方、シグナリング無線ベアラ（ＳＲＢ：Ｓｉｇｎａｌｌｉｎｇ  Ｒａｄｉｏ  Ｂｅａｒｅｒ）はＭｅＮＢだけに割り当てられてもよい。デュアルコネクティビティにおいて、ＭＣＧとＳＣＧまたはＰＣｅｌｌとｐＳＣｅｌｌでは、それぞれ個別にデュプレックスモードが設定されてもよい。デュアルコネクティビティにおいて、ＭＣＧとＳＣＧまたはＰＣｅｌｌとｐＳＣｅｌｌで、同期されなくてもよい。デュアルコネクティビティにおいて、ＭＣＧとＳＣＧそれぞれにおいて、複数のタイミング調整のためのパラメータ（ＴＡＧ：Ｔｉｍｉｎｇ  Ａｄｖａｎｃｃｅ  Ｇｒｏｕｐ）が設定されてもよい。つまり、端末装置は、各ＣＧ内において、異なる複数のタイミングでの上りリンク送信が可能である。
【００７８】
デュアルコネクティビティにおいて、端末装置は、ＭＣＧ内のセルに対応するＵＣＩは、ＭｅＮＢ（ＰＣｅｌｌ）のみに送信し、ＳＣＧ内のセルに対応するＵＣＩは、ＳｅＮＢ（ｐＳＣｅｌｌ）のみに送信することができる。例えば、ＵＣＩはＳＲ、ＨＡＲＱ−ＡＣＫ、および／またはＣＳＩである。また、それぞれのＵＣＩの送信において、ＰＵＣＣＨおよび／またはＰＵＳＣＨを用いた送信方法はそれぞれのセルグループで適用される。
【００７９】
プライマリセルでは、すべての信号が送受信可能であるが、セカンダリセルでは、送受信できない信号がある。例えば、ＰＵＣＣＨ（Ｐｈｙｓｉｃａｌ  Ｕｐｌｉｎｋ  Ｃｏｎｔｒｏｌ  Ｃｈａｎｎｅｌ）は、プライマリセルでのみ送信される。また、ＰＲＡＣＨ（Ｐｈｙｓｉｃａｌ  Ｒａｎｄｏｍ  Ａｃｃｅｓｓ  Ｃｈａｎｎｅｌ）は、セル間で、複数のＴＡＧ（Ｔｉｍｉｎｇ  Ａｄｖａｎｃｅ  Ｇｒｏｕｐ）が設定されない限り、プライマリセルでのみ送信される。また、ＰＢＣＨ（Ｐｈｙｓｉｃａｌ  Ｂｒｏａｄｃａｓｔ  Ｃｈａｎｎｅｌ）は、プライマリセルでのみ送信される。また、ＭＩＢ（Ｍａｓｔｅｒ  Ｉｎｆｏｒｍａｔｉｏｎ  Ｂｌｏｃｋ）は、プライマリセルでのみ送信される。プライマリセカンダリセルでは、プライマリセルで送受信可能な信号が送受信される。例えば、ＰＵＣＣＨは、プライマリセカンダリセルで送信されてもよい。また、ＰＲＡＣＨは、複数のＴＡＧが設定されているかにかかわらず、プライマリセカンダリセルで送信されてもよい。また、ＰＢＣＨやＭＩＢがプライマリセカンダリセルで送信されてもよい。
【００８０】
プライマリセルでは、ＲＬＦ（Ｒａｄｉｏ  Ｌｉｎｋ  Ｆａｉｌｕｒｅ）が検出される。セカンダリセルでは、ＲＬＦが検出される条件が整ってもＲＬＦが検出されたと認識しない。プライマリセカンダリセルでは、条件を満たせば、ＲＬＦが検出される。プライマリセカンダリセルにおいて、ＲＬＦが検出された場合、プライマリセカンダリセルの上位層は、プライマリセルの上位層へＲＬＦが検出されたことを通知する。プライマリセルでは、ＳＰＳ（Ｓｅｍｉ−Ｐｅｒｓｉｓｔｅｎｔ  Ｓｃｈｅｄｕｌｉｎｇ）やＤＲＸ（Ｄｉｓｃｏｎｔｉｎｕｏｕｓ  Ｒｅｃｅｐｔｉｏｎ）を行なってもよい。セカンダリセルでは、プライマリセルと同じＤＲＸを行なってもよい。セカンダリセルにおいて、ＭＡＣの設定に関する情報／パラメータは、基本的に、同じセルグループのプライマリセル／プライマリセカンダリセルと共有している。一部のパラメータ（例えば、ｓＴＡＧ−Ｉｄ）は、セカンダリセル毎に設定されてもよい。一部のタイマーやカウンタが、プライマリセルおよび／またはプライマリセカンダリセルに対してのみ適用されてもよい。セカンダリセルに対してのみ、適用されるタイマーやカウンタが設定されてもよい。
【００８１】
ＬＡＡセルにデュアルコネクティビティが適用される場合の一例において、ＭＣＧ（基地局装置２−１）はプライマリセルを構成する基地局装置であり、ＳＣＧ（基地局装置２−２）はＬＡＡセルを構成する基地局装置である。すなわち、ＬＡＡセルは、ＳＣＧのｐＳＣｅｌｌとして設定される。
【００８２】
ＬＡＡセルにデュアルコネクティビティが適用される場合の別の一例において、ＭＣＧはプライマリセルを構成する基地局装置であり、ＳＣＧはｐＳＣｅｌｌおよびＬＡＡセルを構成する基地局装置である。すなわち、ＬＡＡセルは、ＳＣＧにおいて、ｐＳＣｅｌｌからアシストされる。なお、ＳＣＧにセカンダリセルがさらに設定された場合、ＬＡＡセルは、そのセカンダリセルからアシストされてもよい。
【００８３】
ＬＡＡセルにデュアルコネクティビティが適用される場合の別の一例において、ＭＣＧはプライマリセルおよびＬＡＡセルを構成する基地局装置であり、ＳＣＧはｐＳＣｅｌｌを構成する基地局装置である。すなわち、ＬＡＡセルは、ＭＣＧにおいて、プライマリセルからアシストされる。なお、ＭＣＧにセカンダリセルがさらに設定された場合、ＬＡＡセルは、そのセカンダリセルからアシストされてもよい。
【００８４】
図３は、本実施形態に係る基地局装置２のブロック構成の一例を示す概略図である。基地局装置２は、上位層（上位層制御情報通知部、上位層処理部）３０１、制御部（基地局制御部）３０２、コードワード生成部３０３、下りリンクサブフレーム生成部３０４、ＯＦＤＭ信号送信部（下りリンク送信部）３０６、送信アンテナ（基地局送信アンテナ）３０７、受信アンテナ（基地局受信アンテナ）３０８、ＳＣ−ＦＤＭＡ信号受信部（ＣＳＩ受信部）３０９、上りリンクサブフレーム処理部３１０を有する。下りリンクサブフレーム生成部３０４は、下りリンク参照信号生成部３０５を有する。また、上りリンクサブフレーム処理部３１０は、上りリンク制御情報抽出部（ＣＳＩ取得部）３１１を有する。
【００８５】
図４は、本実施形態に係る端末装置１のブロック構成の一例を示す概略図である。端末装置１は、受信アンテナ（端末受信アンテナ）４０１、ＯＦＤＭ信号受信部（下りリンク受信部）４０２、下りリンクサブフレーム処理部４０３、トランスポートブロック抽出部（データ抽出部）４０５、制御部（端末制御部）４０６、上位層（上位層制御情報取得部、上位層処理部）４０７、チャネル状態測定部（ＣＳＩ生成部）４０８、上りリンクサブフレーム生成部４０９、ＳＣ−ＦＤＭＡ信号送信部（ＵＣＩ送信部）４１１、送信アンテナ（端末送信アンテナ）４１２を有する。下りリンクサブフレーム処理部４０３は、下りリンク参照信号抽出部４０４を有する。また、上りリンクサブフレーム生成部４０９は、上りリンク制御情報生成部（ＵＣＩ生成部）４１０を有する。
【００８６】
まず、図３および図４を用いて、下りリンクデータの送受信の流れについて説明する。基地局装置２において、制御部３０２は、下りリンクにおける変調方式および符号化率などを示すＭＣＳ（Ｍｏｄｕｌａｔｉｏｎ  ａｎｄ  Ｃｏｄｉｎｇ  Ｓｃｈｅｍｅ）、データ送信に用いるＲＢを示す下りリンクリソース割り当て、ＨＡＲＱの制御に用いる情報（リダンダンシーバージョン、ＨＡＲＱプロセス番号、新データ指標）を保持し、これらに基づいてコードワード生成部３０３や下りリンクサブフレーム生成部３０４を制御する。上位層３０１から送られてくる下りリンクデータ（下りリンクトランスポートブロックとも称す）は、コードワード生成部３０３において、制御部３０２の制御の下で、誤り訂正符号化やレートマッチング処理などの処理が施され、コードワードが生成される。１つのセルにおける１つのサブフレームにおいて、最大２つのコードワードが同時に送信される。下りリンクサブフレーム生成部３０４では、制御部３０２の指示により、下りリンクサブフレームが生成される。まず、コードワード生成部３０３において生成されたコードワードは、ＰＳＫ（Ｐｈａｓｅ  Ｓｈｉｆｔ  Ｋｅｙｉｎｇ）変調やＱＡＭ（Ｑｕａｄｒａｔｕｒｅ  Ａｍｐｌｉｔｕｄｅ  Ｍｏｄｕｌａｔｉｏｎ）変調などの変調処理により、変調シンボル系列に変換される。また、変調シンボル系列は、一部のＲＢ内のＲＥにマッピングされ、プレコーディング処理によりアンテナポート毎の下りリンクサブフレームが生成される。このとき、上位層３０１から送られてくる送信データ系列は、上位層における制御情報（例えば専用（個別）ＲＲＣ（Ｒａｄｉｏ  Ｒｅｓｏｕｒｃｅ  Ｃｏｎｔｒｏｌ）シグナリング）である上位層制御情報を含む。また、下りリンク参照信号生成部３０５では、下りリンク参照信号が生成される。下りリンクサブフレーム生成部３０４は、制御部３０２の指示により、下りリンク参照信号を下りリンクサブフレーム内のＲＥにマッピングする。下りリンクサブフレーム生成部３０４で生成された下りリンクサブフレームは、ＯＦＤＭ信号送信部３０６においてＯＦＤＭ信号に変調され、送信アンテナ３０７を介して送信される。なお、ここではＯＦＤＭ信号送信部３０６と送信アンテナ３０７を一つずつ有する構成を例示しているが、複数のアンテナポートを用いて下りリンクサブフレームを送信する場合は、ＯＦＤＭ信号送信部３０６と送信アンテナ３０７とを複数有する構成であってもよい。また、下りリンクサブフレーム生成部３０４は、ＰＤＣＣＨやＥＰＤＣＣＨなどの物理層の下りリンク制御チャネルを生成して下りリンクサブフレーム内のＲＥにマッピングする能力も有することができる。複数の基地局装置（基地局装置２−１および基地局装置２−２）は、それぞれ個別の下りリンクサブフレームを送信する。なお、ＬＡＡセルで運用される基地局装置２は、チャネルがアイドルかビジーかを判定するＣＣＡチェック部３１２を含んで構成される。ＣＣＡチェック部３１２は、受信アンテナ３０８からの受信電力を用いて判定する方法や、上りリンクサブフレーム処理部３１０からの特定の信号を検出したか否かで判定する方法などが実装される。ＣＣＡチェック部３１２の判定結果は制御部３０２に送られ、送信の制御に用いられる。
【００８７】
端末装置１では、受信アンテナ４０１を介して、ＯＦＤＭ信号受信部４０２においてＯＦＤＭ信号が受信され、ＯＦＤＭ復調処理が施される。下りリンクサブフレーム処理部４０３は、まずＰＤＣＣＨやＥＰＤＣＣＨなどの物理層の下りリンク制御チャネルを検出する。より具体的には、下りリンクサブフレーム処理部４０３は、ＰＤＣＣＨやＥＰＤＣＣＨが割り当てられ得る領域においてＰＤＣＣＨやＥＰＤＣＣＨが送信されたものとしてデコードし、予め付加されているＣＲＣ（Ｃｙｃｌｉｃ  Ｒｅｄｕｎｄａｎｃｙ  Ｃｈｅｃｋ）ビットを確認する（ブラインドデコーディング）。すなわち、下りリンクサブフレーム処理部４０３は、ＰＤＣＣＨやＥＰＤＣＣＨをモニタリングする。ＣＲＣビットが予め基地局装置から割り当てられたＩＤ（Ｃ−ＲＮＴＩ（Ｃｅｌｌ−Ｒａｄｉｏ  Ｎｅｔｗｏｒｋ  Ｔｅｍｐｏｒａｒｙ  Ｉｄｅｎｔｉｆｉｅｒ）、ＳＰＳ−Ｃ−ＲＮＴＩ（Ｓｅｍｉ  Ｐｅｒｓｉｓｔｅｎｔ  Ｓｃｈｅｄｕｌｉｎｇ―Ｃ−ＲＮＴＩ）など１つの端末に対して１つ割り当てられる端末固有識別子、あるいはＴｅｍｐｏｒａｌｙ  Ｃ−ＲＮＴＩ）と一致する場合、下りリンクサブフレーム処理部４０３は、ＰＤＣＣＨあるいはＥＰＤＣＣＨを検出できたものと認識し、検出したＰＤＣＣＨあるいはＥＰＤＣＣＨに含まれる制御情報を用いてＰＤＳＣＨを取り出す。制御部４０６は、制御情報に基づく下りリンクにおける変調方式および符号化率などを示すＭＣＳ、下りリンクデータ送信に用いるＲＢを示す下りリンクリソース割り当て、ＨＡＲＱの制御に用いる情報を保持し、これらに基づいて下りリンクサブフレーム処理部４０３やトランスポートブロック抽出部４０５などを制御する。より具体的には、制御部４０６は、下りリンクサブフレーム生成部３０４におけるＲＥマッピング処理や変調処理に対応するＲＥデマッピング処理や復調処理などを行うように制御する。受信した下りリンクサブフレームから取り出されたＰＤＳＣＨは、トランスポートブロック抽出部４０５に送られる。また、下りリンクサブフレーム処理部４０３内の下りリンク参照信号抽出部４０４は、下りリンクサブフレームから下りリンク参照信号を取り出す。トランスポートブロック抽出部４０５では、コードワード生成部３０３におけるレートマッチング処理、誤り訂正符号化に対応するレートマッチング処理、誤り訂正復号化などが施され、トランスポートブロックが抽出され、上位層４０７に送られる。トランスポートブロックには、上位層制御情報が含まれており、上位層４０７は上位層制御情報に基づいて制御部４０６に必要な物理層パラメータを知らせる。なお、複数の基地局装置２（基地局装置２−１および基地局装置２−２）は、それぞれ個別の下りリンクサブフレームを送信しており、端末装置１ではこれらを受信するため、上述の処理を複数の基地局装置２毎の下りリンクサブフレームに対して、それぞれ行うようにしてもよい。このとき、端末装置１は複数の下りリンクサブフレームが複数の基地局装置２から送信されていると認識してもよいし、認識しなくてもよい。認識しない場合、端末装置１は、単に複数のセルにおいて複数の下りリンクサブフレームが送信されていると認識するだけでもよい。また、ト��ンスポートブロック抽出部４０５では、トランスポートブロックが正しく検出できたか否かを判定し、判定結果は制御部４０６に送られる。なお、ＬＡＡセルで運用される端末装置１は、チャネルがアイドルかビジーかを判定するＣＣＡチェック部４１３を含んで構成される。ＣＣＡチェック部４１３は、受信アンテナ４０１からの受信電力を用いて判定する方法や、下りリンクサブフレーム処理部４０３からの特定の信号を検出したか否かで判定する方法などが実装される。ＣＣＡチェック部４１３の判定結果は制御部４０６に送られ、送信の制御に用いられる。
【００８８】
次に、上りリンク信号の送受信の流れについて説明する。端末装置１では制御部４０６の指示の下で、下りリンク参照信号抽出部４０４で抽出された下りリンク参照信号がチャネル状態測定部４０８に送られ、チャネル状態測定部４０８においてチャネル状態および／または干渉が測定され、さらに測定されたチャネル状態および／または干渉に基づいて、ＣＳＩが算出される。また、制御部４０６は、トランスポートブロックが正しく検出できたか否かの判定結果に基づいて、上りリンク制御情報生成部４１０にＨＡＲＱ−ＡＣＫ（ＤＴＸ（未送信）、ＡＣＫ（検出成功）またはＮＡＣＫ（検出失敗））の生成および下りリンクサブフレームへのマッピングを指示する。端末装置１は、これらの処理を複数のセル毎の下りリンクサブフレームに対して、それぞれ行う。上りリンク制御情報生成部４１０では、算出されたＣＳＩおよび／またはＨＡＲＱ−ＡＣＫを含むＰＵＣＣＨが生成される。上りリンクサブフレーム生成部４０９では、上位層４０７から送られる上りリンクデータを含むＰＵＳＣＨと、上りリンク制御情報生成部４１０において生成されるＰＵＣＣＨとが上りリンクサブフレーム内のＲＢにマッピングされ、上りリンクサブフレームが生成される。上りリンクサブフレームは、ＳＣ−ＦＤＭＡ信号送信部４１１において、ＳＣ−ＦＤＭＡ変調が施されＳＣ−ＦＤＭＡ信号が生成され、送信アンテナ４１２を介して送信される。
【００８９】
ここで、端末装置１はＣＲＳまたはＣＳＩ−ＲＳ（非ゼロ電力ＣＳＩ−ＲＳ）に基づいてＣＱＩの値を計算するためのチャネル測定を行う（導出する）。端末装置１が、ＣＲＳ、または、ＣＳＩ−ＲＳに基づいて導出するかは上位層シグナルによって切り替えられる。具体的には、ＣＳＩ−ＲＳが設定される送信モードにおいては、ＣＳＩ−ＲＳのみに基づいてＣＱＩを計算するためのチャネル測定を導出する。具体的には、ＣＳＩ−ＲＳが設定されない送信モードにおいては、ＣＲＳに基づいてＣＱＩを計算するためのチャネル測定を導出する。ＣＳＩを計算するためのチャネル測定で用いられるＲＳは、第１のＲＳとも呼称される。
【００９０】
ここで、端末装置１は、上位層で設定された場合、ＣＳＩ−ＩＭまたは第２のＲＳに基づいてＣＱＩを計算するための干渉測定を行う（導出する）。具体的には、ＣＳＩ−ＩＭが設定される送信モードにおいて、ＣＳＩ−ＩＭに基づいてＣＱＩを計算するための干渉測定を導出する。具体的には、ＣＳＩ−ＩＭが設定される送信モードにおいて、ＣＳＩプロセスに関連付けられたＣＳＩ−ＩＭリソースのみに基づいて前記ＣＳＩプロセスに対応するＣＱＩの値を計算するための干渉測定を導出する。ＣＳＩを計算するためのチャネル測定で用いられるＲＳまたはＩＭは、第２のＲＳとも呼称される。
【００９１】
尚、端末装置１は、ＣＲＳに基づいてＣＱＩを計算するための干渉測定を行ってもよい（導出してもよい）。例えば、ＣＳＩ−ＩＭが設定されない場合に、ＣＲＳに基づいてＣＱＩを計算するための干渉測定を導出してもよい。
【００９２】
尚、ＣＱＩを計算するためのチャネルおよび／または干渉は、同様にＰＭＩまたはＲＩを計算するためのチャネルおよび／または干渉に用いてもよい。
【００９３】
以下では、ＬＡＡセルの詳細について説明する。
【００９４】
ＬＡＡセルが用いる周波数は、他の通信システムおよび／または他のＬＴＥオペレータと共用される。周波数の共用において、ＬＡＡセルは、他の通信システムおよび／または他のＬＴＥオペレータとの公平性が必要になる。例えば、ＬＡＡセルで用いられる通信方式において、公平な周波数共用技術（方法）が必要である。換言すると、ＬＡＡセルは、公平な周波数共用技術が適用できる（用いられる）通信方式（通信手順）を行うセルである。
【００９５】
公平な周波数共用技術の一例は、ＬＢＴ（Listen-Before-Talk）である。ＬＢＴは、ある基地局または端末がある周波数（コンポーネントキャリア、キャリア、セル、チャネル、媒体）を用いて信号を送信する前に、その周波数の干渉電力（干渉信号、受信電力、受信信号、雑音電力、雑音信号）などを測定（検出）することにより、その周波数がアイドル状態（空いている状態、混雑していない状態、Absence、Clear）であるか、またはビジー状態（空いていない状態、混雑している状態、Presence、Occupied）であるかを、識別（検出、想定、決定）する。ＬＢＴに基づいて、その周波数がアイドル状態であると識別した場合、そのＬＡＡセルはその周波数における所定のタイミングで信号を送信することができる。ＬＢＴに基づいて、その周波数がビジー状態であると識別した場合、そのＬＡＡセルはその周波数における所定のタイミングでは信号を送信しない。ＬＢＴによって、他の通信システムおよび／または他のＬＴＥオペレータを含む他の基地局および／または端末が送信している信号に対して、干渉しないように制御できる。なお、下りリンク送信の前に基地局装置が行うＬＢＴを下りリンクＬＢＴ、上りリンク送信の前に端末装置が行うＬＢＴを上りリンクＬＢＴと呼称される。また、サイドリンク送信のために端末装置が行うＬＢＴをサイドリンクＬＢＴと呼称してもよい。
【００９６】
ＬＢＴの手順は、ある基地局または端末がその周波数（チャネル）を用いる前にＣＣＡ（Clear Channel Assessment）チェックを適用するメカニズムとして定義される。そのＣＣＡは、その周波数がアイドル状態かビジー状態かどうかを識別するために、そのチャネルにおいて、他の信号の有無を決定するための電力検出または信号検出を行う。なお、本実施形態において、ＣＣＡの定義はＬＢＴの定義と同等であってもよい。なお、本実施形態において、ＣＣＡはキャリアセンスとも呼称される。
【００９７】
ＣＣＡにおいて、他の信号の有無を決定する方法は、様々な方法を用いることができる。例えば、ＣＣＡは、ある周波数における干渉電力が、あるしきい値を超えるかどうかに基づいて決定する。また、例えば、ＣＣＡは、ある周波数における所定の信号またはチャネルの受信電力が、あるしきい値を超えるかどうかに基づいて決定する。そのしきい値は予め規定されてもよい。そのしきい値は基地局または他の端末から設定されてもよい。そのしきい値は送信電力（最大送信電力）などの他の値（パラメータ）に少なくとも基づいて決定（設定）されてもよい。また、例えば、ＣＣＡは、ある周波数における所定のチャネルが復号できたか否かに基づいて決定する。
【００９８】
ＬＢＴの手順として、１度のＣＣＡチェックを行った後に信号を送信することができるＩＣＣＡ（Initial CCA、single sensing、LBT category 2、FBE: Frame-based Equipment）と、所定回数のＣＣＡチェックを行った後に信号を送信することができるＥＣＣＡ（Extended CCA、multiple sensing、LBT category 3/4、LBE: Load-based Equipment）がある。ＩＣＣＡによってＣＣＡチェックを行う期間を、ＩＣＣＡ期間、またはＩＣＣＡスロット長と称され、例えば、３４マイクロ秒である。またＥＣＣＡによってＣＣＡチェックを行う期間を、ＥＣＣＡ期間、またはＥＣＣＡスロット長と称され、例えば、９マイクロ秒である。なお、所定回数は、バックオフカウンタ（カウンタ、乱数カウンタ、ＥＣＣＡカウンタ）とも称される。また、その周波数がビジー状態からアイドル状態に変化した後に、ＣＣＡチェックを行う期間を、デファ期間（ｄｅｆｅｒ  ｐｅｒｉｏｄ）、またはＥＣＣＡ  デファ期間（ＥＣＣＡ  ｄｅｆｅｒ  ｐｅｒｉｏｄ）と称され、例えば、３４マイクロ秒である。
【００９９】
図６に、下りリンク送信におけるＬＢＴ（LBT category 4、LBE）の手順の一例を示す。基地局装置は、下りリンク送信を待機しているアイドル状態（Ｓ６０１）から、端末装置に対して下りリンク送信が必要な情報（データ、バッファ、ロード、トラヒック）が発生した場合、送信が必要か否かを決定し（Ｓ６０２）、初期ＣＣＡ（Ｓ６０３）に移行する。初期ＣＣＡでは、初期ＣＣＡ期間（Initial CCA period）にＣＣＡチェックを行い、チャネルがアイドルかビジーかを感知する（Ｓ６０３１）。初期ＣＣＡ（Ｓ６０３）を行った結果、チャネルがアイドルであったと判断した場合、基地局装置はそのチャネルのアクセス権を獲得し、送信の動作に移行する。そして、そのタイミングで実際に下りリンク送信を行うか否かを判断し（Ｓ６０４）、下りリンク送信を行うと決定した場合に下りリンク送信を行う（Ｓ６０５）。その下りリンク送信を行った後、他の下りリンク送信が必要な情報がまだ存在（残留）しているか否かを判別する（Ｓ６０６）。他の下りリンク送信が必要な情報がまだ存在（残留）していない場合には、アイドル状態（Ｓ６０１）に戻る。一方で、初期ＣＣＡ（Ｓ６０３）を行った結果、チャネルがビジーであったと判断した場合や、他の下りリンク送信が必要な情報がまだ存在（残留）しているか否かの判別（Ｓ６０６）の結果、下りリンク送信後に他の下りリンク送信が必要な情報がまだ存在（残留）している場合には、拡張ＣＣＡ（Ｓ６０７）に移行する。拡張ＣＣＡでは、初めに、基地局装置は０からｑ−１の範囲からランダムにカウンタ値Ｎを生成する（Ｓ６０７１）。次に、基地局装置はＥＣＣＡデファ区間でチャネルがアイドルかビジーかを感知する（Ｓ６０７２）。ＥＣＣＡデファ区間においてチャネルがビジーであると判断した場合は、再度ＥＣＣＡデファ区間でチャネルがアイドルかビジーかを感知する（Ｓ６０７２）。一方で、ＥＣＣＡデファ区間においてチャネルがアイドルであると判断した場合は、次に、基地局装置は、１つのＥＣＣＡスロット時間でチャネル（媒体）を感知し（Ｓ６０７３）、そのチャネルがアイドルかビジーかを判断する（Ｓ６０７４）。そのチャネルがアイドルと判断した場合は、カウンタ値Ｎから１つ減らし（Ｓ６０７５）、そのチャネルがビジーと判断した場合は、再度ＥＣＣＡデファ区間でチャネルを感知するプロセス（Ｓ６０７２）に戻る。そして、基地局装置は、カウンタ値が０になったか否かを判断し（Ｓ６０７６）、カウンタ値が０になった場合には、送信を行うプロセス（Ｓ６０４、Ｓ６０５）に移行する。一方で、カウンタ値が０ではない場合には、再度１つのＥＣＣＡスロット時間でチャネル（媒体）を感知する（Ｓ６０７３）。なお、カウンタ値Ｎを生成する際の衝突窓ｑの値はチャネルの状態に応じてＸとＹの間の値となるように更新される（Ｓ６０７７）。
【０１００】
衝突窓ｑの値は、例えば、その基地局装置が送信するＰＤＳＣＨのＨＡＲＱ−ＡＣＫ応答や、その基地局装置のチャネルの感知によって得られる電力値や、ＲＳＲＰ、ＲＳＲＱ、および／またはＲＳＳＩの報告、などに基づいて決定される。衝突窓ｑの値は、一例として、指数的に増加される。また、衝突窓ｑの値を決定する際に用いられる最小値Ｘと最大値Ｙの値は、上位層で設定されるパラメータである。
【０１０１】
なお、図６のＬＢＴの手順において、拡張ＣＣＡを行わなくてもよい。具体的には、初期ＣＣＡ（Ｓ６０３）の結果、チャネルがビジーであったと判断した場合は、拡張ＣＣＡのプロセス（Ｓ６０７）に遷移せず、基地局装置はアイドル状態（Ｓ６０１）に戻ってもよい。また、下りリンク送信を行った後に他の下りリンク送信が必要な情報がまだ存在している場合（Ｓ６０６）においても、拡張ＣＣＡのプロセス（Ｓ６０７）に遷移せず、基地局装置はアイドル状態（Ｓ６０１）に戻ってもよい。この様なプロセスを行うＬＢＴは、LBT category 2とも呼称される。この様なプロセスを行うＬＢＴは、例えば、ＤＳの送信や、１ｍｓ以下の長さのＰＤＳＣＨ送信、ＰＤＣＣＨのみの送信のためのＬＢＴとして適用されてもよい。
【０１０２】
なお、ＬＡＡセルにおけるＣＣＡは、そのＬＡＡセルに接続している（設定されている）端末が認識する必要はない。
【０１０３】
端末装置１は、ＬＡＡセルにおけるＣＣＡが完了した後からの送信を検出できる場合、最初の送信を検出した後から送信が数サブフレーム連続する、とみなしてよい。送信が連続する数サブフレームを、送信バーストとも呼称される。特に、ＰＤＳＣＨの送信が連続する数サブフレームを、ＰＤＳＣＨ送信バーストと呼称される。ＰＤＳＣＨ送信バーストには、ＰＤＳＣＨ以外のチャネルおよび／または信号を含んでもよい。例えば、ＰＤＳＣＨ送信バーストには、ＰＤＳＣＨとＤＳが含まれて送信されてもよい。また、特に、ＤＳのみが送信される数サブフレームを、ＤＳ送信バーストと呼称される。送信バーストによって連続して送信されるサブフレーム数は、ＲＲＣメッセージによって端末装置１に設定されてもよい。本実施形態では、下りリンク信号またはチャネルの送信バーストを下りリンク送信、上りリンク信号またはチャネルの送信バーストを上りリンク送信、とも称する。
【０１０４】
端末装置は、送信バーストの先頭に含まれる予約信号を検出した場合に、その送信バーストを検知することができる。端末装置は、その予約信号を検出したサブフレームから数サブフレームを送信バーストとみなす。なお、予約信号の代わりに、後述する第１の同期信号、または、第２の同期信号、または、第３の同期信号を検出した場合に、端末装置は、その後の数サブフレームを送信バーストとみなすこともできる。
【０１０５】
また、端末装置は、ＤＣＩに含まれる送信バーストを指定するサブフレームの情報を復号した場合に、送信バーストを検知することができる。そのＤＣＩは、ＣＳＳに配置されたＰＤＣＣＨまたはＥＰＤＣＣＨに含まれて通知される。また、そのＤＣＩはＵＳＳで配置されたＰＤＣＣＨまたはＥＰＤＣＣＨに含まれて通知されてもよい。
【０１０６】
ＬＡＡセルは、割り当て周波数を用いるセカンダリセルとは異なるセルとして定義されてもよい。例えば、ＬＡＡセルは、割り当て周波数を用いるセカンダリセルの設定とは異なって設定される。ＬＡＡセルに設定されるパラメータの一部は、割り当て周波数を用いるセカンダリセルに設定されない。割り当て周波数を用いるセカンダリセルに設定されるパラメータの一部は、ＬＡＡセルに設定されない。本実施形態において、ＬＡＡセルは、プライマリセルおよびセカンダリセルとは異なるセルとして説明するが、ＬＡＡセルはセカンダリセルの１つとして定義されてもよい。また、従来のセカンダリセルは第１のセカンダリセルとも呼称され、ＬＡＡセルは第２のセカンダリセルとも呼称される。また、従来のプライマリセルおよびセカンダリセルは第１のサービングセルとも呼称され、ＬＡＡセルは第２のサービングセルとも呼称される。
【０１０７】
また、ＬＡＡセルは、従来のフレーム構成タイプとは異なってもよい。例えば、従来のサービングセルは、第１のフレーム構成タイプ（ＦＤＤ、frame structure type 1）または第２のフレーム構成タイプ（ＴＤＤ、frame structure type 2）が用いられる（設定される）が、ＬＡＡセルは、第３のフレーム構成タイプ（frame structure type 3）が用いられる（設定される）。尚、ＬＡＡセルは、第１のフレーム構成タイプまたは第２のフレーム構成タイプが用いられてもよい（設定されてもよい）。
【０１０８】
また、第３のフレーム構成タイプは、上りリンクおよび下りリンクが同一周波数で送信可能なＴＤＤセルでありながら、ＦＤＤセルの特徴を有するフレーム構成タイプであることが好ましい。例えば、第３のフレーム構成タイプは、上りリンクサブフレーム、下りリンクサブフレーム、および、スペシャルサブフレームを有しているが、上りリンクグラントを受信してから該上りリンクグラントからスケジュールされるＰＵＳＣＨが送信するまでの間隔、または、ＰＤＳＣＨを受信してから該ＰＤＳＣＨに対するＨＡＲＱフィードバックの間隔は、ＦＤＤセルと同様であってもよい。
【０１０９】
また、第３のフレーム構成タイプは、従来のＴＤＤ  ＵＬ／ＤＬ設定（TDD uplink/downlink configuration）に依存しないフレーム構成タイプであることが好ましい。例えば、上りリンクサブフレーム、下りリンクサブフレーム、および、スペシャルサブフレームは、無線フレームに対して非周期的に設定されてもよい。例えば、上りリンクサブフレーム、下りリンクサブフレーム、および、スペシャルサブフレームは、ＰＤＣＣＨまたはＥＰＤＣＣＨに基づいて決定されてもよい。
【０１１０】
ここで、非割り当て周波数は、所定のオペレータに対して専有周波数として割り当てられる割り当て周波数とは異なる周波数である。例えば、非割り当て周波数は、無線ＬＡＮが用いている周波数である。また、例えば、非割り当て周波数は従来のＬＴＥでは設定されない周波数であり、割り当て周波数は従来のＬＴＥで設定可能な周波数である。本実施形態において、ＬＡＡセルに設定される周波数は、非割り当て周波数として説明するが、これに限定されるものではない。すなわち、非割り当て周波数は、ＬＡＡセルに設定される周波数と置き換えることが可能である。例えば、非割り当て周波数は、プライマリセルに設定できない周波数であり、セカンダリセルのみに設定できる周波数である。例えば、非割り当て周波数は、複数のオペレータに対して共有される周波数も含む。また、例えば、非割り当て周波数は、従来のプライマリセルまたはセカンダリセルとは異なる設定、想定および／または処理がされるセルのみに設定される周波数である。
【０１１１】
ＬＡＡセルは、ＬＴＥにおける無線フレーム、物理信号、および／または物理チャネルなどの構成および通信手順に関して、従来の方式とは異なる方式を用いるセルとすることができる。
【０１１２】
例えば、ＬＡＡセルでは、プライマリセルおよび／またはセカンダリセルで設定（送信）される所定の信号および／またはチャネルが設定（送信）されない。その所定の信号および／またはチャネルは、ＣＲＳ、ＤＳ、ＰＤＣＣＨ、ＥＰＤＣＣＨ、ＰＤＳＣＨ、ＰＳＳ、ＳＳＳ、ＰＢＣＨ、ＰＨＩＣＨ、ＰＣＦＩＣＨ、ＣＳＩ−ＲＳおよび／またはＳＩＢなどを含む。例えば、ＬＡＡセルで設定されない信号および／またはチャネルは、以下の通りである。なお、以下で説明される信号および／またはチャネルは組み合わせて用いられてもよい。なお、本実施形態において、ＬＡＡセルで設定されない信号および／またはチャネルは、端末がそのＬＡＡセルからの送信を期待しない信号および／またはチャネルと読み替えてもよい。
（１）ＬＡＡセルでは、物理レイヤの制御情報は、ＰＤＣＣＨで送信されず、ＥＰＤＣＣＨのみで送信される。
（２）ＬＡＡセルでは、アクティベーション（オン）であるサブフレームにおいても、全てのサブフレームでＣＲＳ、ＤＭＲＳ、ＵＲＳ、ＰＤＣＣＨ、ＥＰＤＣＣＨおよび／またはＰＤＳＣＨが送信されず、端末は全てのサブフレームで送信されていることを想定しない。
（３）ＬＡＡセルでは、端末は、アクティベーション（オン）であるサブフレームにおいて、ＤＳ、ＰＳＳ、および／またはＳＳＳが送信されていることを想定する。
（４）ＬＡＡセルでは、端末は、ＣＲＳのマッピングに関する情報がサブフレーム毎に通知され、その情報に基づいて、ＣＲＳのマッピングの想定を行う。例えば、ＣＲＳのマッピングの想定は、そのサブフレームの全てのリソースエレメントにマッピングされない。ＣＲＳのマッピングの想定は、そのサブフレームの一部のリソースエレメント（例えば、先頭の２ＯＦＤＭシンボルにおける全てのリソースエレメント）にマッピングされない。ＣＲＳのマッピングの想定は、そのサブフレームの全てのリソースエレメントにマッピングされる。また、例えば、ＣＲＳのマッピングに関する情報は、そのＬＡＡセルまたはそのＬＡＡセルとは異なるセルから通知される。ＣＲＳのマッピングに関する情報は、ＤＣＩに含まれ、ＰＤＣＣＨまたはＥＰＤＣＣＨによって通知される。
【０１１３】
また、例えば、ＬＡＡセルでは、プライマリセルおよび／またはセカンダリセルで設定（送信）されない所定の信号および／またはチャネルが設定（送信）される。
【０１１４】
また、例えば、ＬＡＡセルでは、下りリンクコンポーネントキャリアまたはサブフレームのみが定義され、下りリンク信号および／またはチャネルのみが送信される。すなわち、ＬＡＡセルでは、上りリンクコンポーネントキャリアまたはサブフレームが定義されず、上りリンク信号および／またはチャネルは送信されない。
【０１１５】
また、例えば、ＬＡＡセルでは、対応できるＤＣＩ（Downlink Control Information）フォーマットが、プライマリセルおよび／またはセカンダリセルに対応できるＤＣＩフォーマットと異なる。ＬＡＡセルのみに対応するＤＣＩフォーマットが規定される。ＬＡＡセルに対応するＤＣＩフォーマットは、ＬＡＡセルのみに有効な制御情報を含む。
【０１１６】
端末装置は、上位層によるパラメータによって、ＬＡＡセルを認知することができる。例えば、要素キャリアの中心周波数を通知するパラメータから、端末装置は、従来のセル（バンド）またはＬＡＡセル（ＬＡＡバンド）を認知することができる。この場合、中心周波数に関連する情報とセル（バンド）の種類が関連付けている。
【０１１７】
また、例えば、ＬＡＡセルでは、信号および／またはチャネルの想定が、従来のセカンダリセルと異なる。
【０１１８】
まず、従来のセカンダリセルにおける信号および／またはチャネルの想定を説明する。以下の条件の一部または全部を満たす端末は、ＤＳの送信を除いて、ＰＳＳ、ＳＳＳ、ＰＢＣＨ、ＣＲＳ、ＰＣＦＩＣＨ、ＰＤＳＣＨ、ＰＤＣＣＨ、ＥＰＤＣＣＨ、ＰＨＩＣＨ、ＤＭＲＳおよび／またはＣＳＩ−ＲＳが、そのセカンダリセルによって送信されないかもしれないと想定する。また、その端末は、ＤＳがそのセカンダリセルによって常に送信されていると想定する。また、その想定は、その端末があるキャリア周波数におけるセカンダリセルにおいてアクティベーションコマンド（活性化するためのコマンド）が受信されるサブフレームまで継続する。
（１）端末がＤＳに関する設定（パラメータ）をサポートする。
（２）端末がそのセカンダリセルにおいて、ＤＳに基づくＲＲＭ測定が設定される。
（３）そのセカンダリセルはデアクティベーション（非活性化された状態）である。
（４）端末は、そのセカンダリセルにおいて、上位層によってＭＢＭＳを受信することが設定されていない。
【０１１９】
また、そのセカンダリセルがアクティベーション（活性化された状態）である場合、端末は、設定された所定のサブフレームまたは全てのサブフレームにおいて、ＰＳＳ、ＳＳＳ、ＰＢＣＨ、ＣＲＳ、ＰＣＦＩＣＨ、ＰＤＳＣＨ、ＰＤＣＣＨ、ＥＰＤＣＣＨ、ＰＨＩＣＨ、ＤＭＲＳおよび／またはＣＳＩ−ＲＳがそのセカンダリセルによって送信されると想定する。
【０１２０】
次に、ＬＡＡセルにおける信号および／またはチャネルの想定の一例を説明する。以下の条件の一部または全部を満たす端末は、ＤＳの送信を含めて、ＰＳＳ、ＳＳＳ、ＰＢＣＨ、ＣＲＳ、ＰＣＦＩＣＨ、ＰＤＳＣＨ、ＰＤＣＣＨ、ＥＰＤＣＣＨ、ＰＨＩＣＨ、ＤＭＲＳおよび／またはＣＳＩ−ＲＳが、そのＬＡＡセルによって送信されないかもしれないと想定する。また、その想定は、その端末があるキャリア周波数におけるセカンダリセルにおいてアクティベーションコマンド（活性化するためのコマンド）が受信されるサブフレームまで継続する。
（１）端末がＤＳに関する設定（パラメータ）をサポートする。
（２）端末がそのＬＡＡセルにおいて、ＤＳに基づくＲＲＭ測定が設定される。
（３）そのＬＡＡセルはデアクティベーション（非活性化された状態）である。
（４）端末は、そのＬＡＡセルにおいて、上位層によってＭＢＭＳを受信することが設定されていない。
【０１２１】
また、ＬＡＡセルにおける信号および／またはチャネルの想定の別の一例を説明する。そのＬＡＡセルがデアクティベーション（非活性化された状態）である場合、そのＬＡＡセルにおける信号および／またはチャネルの想定は、従来のセカンダリセルにおける信号および／またはチャネルの想定と同じである。そのＬＡＡセルがアクティベーション（活性化された状態）である場合、そのＬＡＡセルにおける信号および／またはチャネルの想定は、従来のセカンダリセルにおける信号および／またはチャネルの想定と異なる。例えば、そのＬＡＡセルがアクティベーション（活性化された状態）である場合、端末は、そのＬＡＡセルが、そのＬＡＡセルに設定された所定のサブフレームを除いて、ＰＳＳ、ＳＳＳ、ＰＢＣＨ、ＣＲＳ、ＰＣＦＩＣＨ、ＰＤＳＣＨ、ＰＤＣＣＨ、ＥＰＤＣＣＨ、ＰＨＩＣＨ、ＤＭＲＳおよび／またはＣＳＩ−ＲＳが送信されないかもしれないと想定する。その詳細は後述する。
【０１２２】
また、ＣＣＡは、１つのサブフレームで行われることを示したが、ＣＣＡを行う時間（期間）はこれに限定されるものではない。ＣＣＡを行う時間は、ＬＡＡセル毎、ＣＣＡのタイミング毎、ＣＣＡの実行毎に変動してもよい。例えば、ＣＣＡは、所定の時間スロット（時間間隔、時間領域）に基づいた時間で行う。その所定の時間スロットは、１つのサブフレームを所定数に分割した時間で規定または設定されてもよい。その所定の時間スロットは、所定数のサブフレームで規定または設定されてもよい。
【０１２３】
また、本実施形態において、ＣＣＡを行う時間（時間スロット）や、あるサブフレームにおいてチャネルおよび／または信号が送信される（送信できる）時間などの、時間領域におけるフィールドのサイズは、所定の時間ユニットを用いて表現できる。例えば、時間領域におけるフィールドのサイズは、いくつかの時間ユニットＴｓとして表現される。Ｔｓは、1/(15000*2048)秒である。例えば、１つのサブフレームの時間は、30720*Ts（１ミリ秒）である。例えば、１つのＩＣＣＡスロット長またはｄｅｆｅｒ期間は、1044*Ts（約33.98マイクロ秒）、または1045*Ts（約34.02マイクロ秒）である。例えば、１つのＥＣＣＡスロット長は、276*Ts（約8.984マイクロ秒）、または277*Ts（約9.017マイクロ秒）である。例えば、１つのＥＣＣＡスロット長は、307*Ts（約9.993マイクロ秒）、または308*Ts（約10.03マイクロ秒）である。
【０１２４】
また、ＬＡＡセルがあるサブフレームにおける途中のシンボルから、チャネルおよび／または信号（予約信号を含む）を送信できるか否かが、端末またはＬＡＡセルに対して設定されてもよい。例えば、端末は、ＲＲＣのシグナリングによって、ＬＡＡセルに関する設定において、そのような送信が可能かどうかを示す情報が設定される。端末は、その情報に基づいて、ＬＡＡセルにおける受信（モニタリング、認識、復号）に関する処理を切り替える。
【０１２５】
また、途中のシンボルから送信が可能なサブフレーム（途中のシンボルまで送信が可能なサブフレームも含む）は、ＬＡＡセルにおける全てのサブフレームでもよい。また、途中のシンボルから送信が可能なサブフレームは、ＬＡＡセルに対して予め規定されたサブフレームまたは設定されたサブフレームでもよい。
【０１２６】
また、途中のシンボルから送信が可能なサブフレーム（途中のシンボルまで送信が可能なサブフレームも含む）は、ＴＤＤの上りリンク下りリンク設定（ＵＬ／ＤＬ設定）に基づいて設定、通知または決定されることができる。例えば、そのようなサブフレームは、ＵＬ／ＤＬ設定でスペシャルサブフレームと通知（指定）されたサブフレームである。ＬＡＡセルにおけるスペシャルサブフレームは、ＤｗＰＴＳ（Downlink Pilot Time Slot）、ＧＰ（Guard Period）およびＵｐＰＴＳ（Uplink Pilot Time Slot）の３つのフィールドのうち少なくとも１つを含むサブフレームである。ＬＡＡセルにおけるスペシャルサブフレームに関する設定が、ＲＲＣのシグナリング、ＰＤＣＣＨまたはＥＰＤＣＣＨのシグナリングによって設定または通知されてもよい。この設定は、ＤｗＰＴＳ、ＧＰおよびＵｐＰＴＳの少なくとも１つに対する時間の長さを設定する。また、この設定は、予め規定された時間の長さの候補を示すインデックス情報である。また、この設定は、従来のＴＤＤセルに設定されるスペシャルサブフレーム設定で用いられるＤｗＰＴＳ、ＧＰおよびＵｐＰＴＳと同じ時間の長さを用いることができる。すなわち、あるサブフレームにおいて送信が可能な時間の長さは、ＤｗＰＴＳ、ＧＰおよびＵｐＰＴＳのいずれかに基づいて決まる。
【０１２７】
また、本実施形態において、予約信号は、その予約信号を送信しているＬＡＡセルとは異なるＬＡＡセルが受信できる信号とすることができる。例えば、その予約信号を送信しているＬＡＡセルとは異なるＬＡＡセルは、その予約信号を送信しているＬＡＡセルに隣接しているＬＡＡセル（隣接ＬＡＡセル）である。例えば、その予約信号は、そのＬＡＡセルにおける所定のサブフレームおよび／またはシンボルの送信状況（使用状況）に関する情報を含む。ある予約信号を送信しているＬＡＡセルとは異なるＬＡＡセルがその予約信号を受信した場合、その予約信号を受信したＬＡＡセルは、その予約信号に基づいて、所定のサブフレームおよび／またはシンボルの送信状況を認識し、その状況に応じてスケジューリングを行う。
【０１２８】
また、その予約信号を受信したＬＡＡセルは、チャネルおよび／または信号を送信する前に、ＬＢＴを行ってもよい。そのＬＢＴは、受信した予約信号に基づいて行われる。例えば、そのＬＢＴにおいて、予約信号を送信したＬＡＡセルが送信する（送信すると想定される）チャネルおよび／または信号を考慮して、リソース割り当てやＭＣＳの選択などを含むスケジューリングを行う。
【０１２９】
また、その予約信号を受信したＬＡＡセルがその予約信号に基づいてチャネルおよび／または信号を送信するスケジューリングを行った場合、所定の方法により、その予約信号を送信したＬＡＡセルを含む１つ以上のＬＡＡセルにそのスケジューリングに関する情報を通知することができる。例えば、その所定の方法は、予約信号を含む所定のチャネルおよび／または信号を送信する方法である。また、例えば、その所定の方法は、Ｘ２インターフェースなどのバックホールを通じて通知する方法である。
【０１３０】
また、キャリアアグリゲーションおよび／またはデュアルコネクティビティにおいて、従来の端末は５つまでのサービングセルを設定することができたが、本実施形態における端末は設定できるサービングセルの最大数を拡張することができる。すなわち、本実施形態における端末は、５つを超えるサービングセルを設定できる。例えば、本実施形態における端末は１６個または３２個までのサービングセルを設定できる。例えば、本実施形態における端末に設定される５つを超えるサービングセルは、ＬＡＡセルを含む。また、本実施形態における端末に設定される５つを超えるサービングセルは、全てＬＡＡセルであってもよい。
【０１３１】
また、５つを超えるサービングセルを設定できる場合において、一部のサービングセルに関する設定は従来のサービングセル（すなわち、従来のセカンダリセル）の設定と異なってもよい。例えば、その設定に関して、以下が異なる。以下で説明する設定は、組み合わせて用いられてもよい。
（１）端末は、従来のサービングセルが５つまで設定され、従来とは異なるサービングセルが１１個または２７個まで設定される。すなわち、端末は、従来のプライマリセルに加えて、従来のセカンダリセルが４つまで設定され、従来とは異なるセカンダリセルが１１個または２７個まで設定される。
（２）従来とは異なるサービングセル（セカンダリセル）に関する設定は、ＬＡＡセルに関する設定を含む。例えば、端末は、従来のプライマリセルに加えて、ＬＡＡセルに関する設定を含まないセカンダリセルが４つまで設定され、従来とは異なるセカンダリセルが１１個または２７個まで設定される。
【０１３２】
また、５つを超えるサービングセルを設定できる場合において、基地局（ＬＡＡセルを含む）および／または端末は、５つまでのサービングセルを設定する場合と異なる処理または想定を行うことができる。例えば、その処理または想定に関して、以下が異なる。以下で説明する処理または想定は、組み合わせて用いられてもよい。
（１）端末は、５つを超えるサービングセルが設定された場合でも、ＰＤＣＣＨ、ＥＰＤＣＣＨおよび／またはＰＤＳＣＨは最大５つのサービングセルから同時に送信される（受信する）と想定する。これにより、端末は、ＰＤＣＣＨ、ＥＰＤＣＣＨおよび／またはＰＤＳＣＨの受信と、そのＰＤＳＣＨに対するＨＡＲＱ−ＡＣＫの送信について、従来と同様の方法を用いることができる。
（２）端末は、５つを超えるサービングセルが設定された場合、それらのサービングセルにおいて、ＰＤＳＣＨに対するＨＡＲＱ−ＡＣＫのバンドリングを行うセルの組み合わせ（グループ）が設定される。例えば、全てのサービングセル、全てのセカンダリセル、全てのＬＡＡセル、または全ての従来とは異なるセカンダリセルは、それぞれサービングセル間におけるＨＡＲＱ−ＡＣＫのバンドリングに関する情報（設定）を含む。例えば、サービングセル間におけるＨＡＲＱ−ＡＣＫのバンドリングに関する情報は、そのバンドリングを行う識別子（インデックス、ＩＤ）である。例えば、ＨＡＲＱ−ＡＣＫは、そのバンドリングを行う識別子が同じセルを渡って、バンドリングされる。そのバンドリングは、対象となるＨＡＲＱ−ＡＣＫに対して論理積演算によって行われる。また、そのバンドリングを行う識別子の最大数は５にすることができる。また、そのバンドリングを行う識別子の最大数は、そのバンドリングを行わないセルの数を含めて５にすることができる。すなわち、サービングセルを超えてバンドリングを行うグループの数を最大５にすることができる。これにより、端末は、ＰＤＣＣＨ、ＥＰＤＣＣＨおよび／またはＰＤＳＣＨの受信と、そのＰＤＳＣＨに対するＨＡＲＱ−ＡＣＫの送信について、従来と同様の方法を用いることができる。
（３）端末は、５つを超えるサービングセルが設定された場合、それらのサービングセルにおいて、ＰＤＳＣＨに対するＨＡＲＱ−ＡＣＫの多重（multiplexing）を行うセルの組み合わせ（グループ）が設定される。ＰＤＳＣＨに対するＨＡＲＱ−ＡＣＫの多重を行うセルの組み合わせ（グループ）が設定される場合、多重されたＨＡＲＱ−ＡＣＫは、そのグループに基づいてＰＵＣＣＨまたはＰＵＳＣＨにより送信される。それぞれのグループにおいて、多重されるサービングセルの最大数が規定または設定される。その最大数は、端末に設定されるサービングセルの最大数に基づいて規定または設定される。例えば、その最大数は、端末に設定されるサービングセルの最大数と同数、または、端末に設定されるサービングセルの最大数の半数である。また、同時に送信されるＰＵＣＣＨの最大数は、それぞれのグループにおいて多重されるサービングセルの最大数と、端末に設定されるサービングセルの最大数とに基づいて、規定または設定される。
【０１３３】
換言すると、設定される第１のサービングセル（すなわち、プライマリセルおよび／またはセカンダリセル）の数は所定数（すなわち、５）以下であり、設定される前記第１のサービングセルと前記第２のサービングセル（すなわち、ＬＡＡセル）の合計は前記所定数を超える。
【０１３４】
次に、ＬＡＡに関連する端末ケイパビリティを説明する。端末は、基地局からの指示に基づいて、ＲＲＣのシグナリングによって、その端末のケイパビリティ（能力）に関する情報（端末ケイパビリティ）を基地局に通知（送信）する。ある機能（特徴）に対する端末ケイパビリティは、その機能（特徴）をサポートする場合に通知（送信）され、その機能（特徴）をサポートしない場合に通知（送信）されない。また、ある機能（特徴）に対する端末ケイパビリティは、その機能（特徴）のテストおよび／または実装が完了しているかどうかを示す情報であってもよい。例えば、本実施形態における端末ケイパビリティは、以下の通りである。以下で説明する端末ケイパビリティは、組み合わせて用いられてもよい。
（１）ＬＡＡセルのサポートに関する端末ケイパビリティと、５つを超えるサービングセルの設定のサポートに関する端末ケイパビリティは、それぞれ独立に定義される。例えば、ＬＡＡセルをサポートする端末は、５つを超えるサービングセルの設定をサポートする。すなわち、５つを超えるサービングセルの設定をサポートしない端末は、ＬＡＡセルをサポートしない。その場合、５つを超えるサービングセルの設定をサポートする端末は、ＬＡＡセルをサポートしてもよいし、しなくてもよい。
（２）ＬＡＡセルのサポートに関する端末ケイパビリティと、５つを超えるサービングセルの設定のサポートに関する端末ケイパビリティは、それぞれ独立に定義される。例えば、５つを超えるサービングセルの設定をサポートする端末は、ＬＡＡセルをサポートする。すなわち、ＬＡＡセルをサポートしない端末は、５つを超えるサービングセルの設定をサポートしない。その場合、ＬＡＡセルをサポートする端末は、５つを超えるサービングセルの設定をサポートしてもよいし、しなくてもよい。
（３）ＬＡＡセルにおける下りリンクに関する端末ケイパビリティと、ＬＡＡセルにおける上りリンクに関する端末ケイパビリティは、それぞれ独立に定義される。例えば、ＬＡＡセルにおける上りリンクをサポートする端末は、ＬＡＡセルにおける下りリンクをサポートする。すなわち、ＬＡＡセルにおける下りリンクをサポートしない端末は、ＬＡＡセルにおける上りリンクをサポートしない。その場合、ＬＡＡセルにおける下りリンクをサポートする端末は、ＬＡＡセルにおける上りリンクをサポートしてもよいし、サポートしなくてもよい。
（４）ＬＡＡセルのサポートに関する端末ケイパビリティは、ＬＡＡセルのみに設定される送信モードのサポートを含む。
（５）５つを超えるサービングセルの設定における下りリンクに関する端末ケイパビリティと、５つを超えるサービングセルの設定における上りリンクに関する端末ケイパビリティは、それぞれ独立に定義される。例えば、５つを超えるサービングセルの設定における上りリンクをサポートする端末は、５つを超えるサービングセルの設定における下りリンクをサポートする。すなわち、５つを超えるサービングセルの設定における下りリンクをサポートしない端末は、５つを超えるサービングセルの設定における上りリンクをサポートしない。その場合、５つを超えるサービングセルの設定における下りリンクをサポートする端末は、５つを超えるサービングセルの設定における上りリンクをサポートしてもよいし、サポートしなくてもよい。
（６）５つを超えるサービングセルの設定における端末ケイパビリティにおいて、最大１６個の下りリンクサービングセル（コンポーネントキャリア）の設定をサポートする端末ケイパビリティと、最大３２個の下りリンクサービングセルの設定をサポートする端末ケイパビリティは、それぞれ独立に定義される。また、最大１６個の下りリンクサービングセルの設定をサポートする端末は、少なくとも１つの上りリンクサービングセルの設定をサポートする。最大３２個の下りリンクサービングセルの設定をサポートする端末は、少なくとも２つの上りリンクサービングセルの設定をサポートする。すなわち、最大１６個の下りリンクサービングセルの設定をサポートする端末は、２つ以上の上りリンクサービングセルの設定をサポートしなくてもよい。
（７）ＬＡＡセルのサポートに関する端末ケイパビリティは、ＬＡＡセルで用いられる周波数（バンド）に基づいて通知される。例えば、端末がサポートする周波数または周波数の組み合わせの通知において、通知される周波数または周波数の組み合わせがＬＡＡセルで用いられる周波数を少なくとも１つ含む場合、その端末はＬＡＡセルをサポートすることを黙示的に通知する。すなわち、通知される周波数または周波数の組み合わせがＬＡＡセルで用いられる周波数を全く含まない場合、その端末はＬＡＡセルをサポートしないことを黙示的に通知する。
【０１３５】
また、本実施形態において、ＬＡＡセルが、そのＬＡＡセルで送信されるＰＤＳＣＨのためのＤＣＩを通知するＰＤＣＣＨまたはＥＰＤＣＣＨを、送信する場合（すなわち、セルフスケジューリングの場合）を説明したが、これに限定されるものではない。例えば、ＬＡＡセルとは異なるサービングセルが、そのＬＡＡセルで送信されるＰＤＳＣＨのためのＤＣＩを通知するＰＤＣＣＨまたはＥＰＤＣＣＨを、送信する場合（すなわち、クロスキャリアスケジューリングの場合）においても、本実施形態で説明された方法は適用できる。
【０１３６】
また、本実施形態において、チャネルおよび／または信号が送信されるシンボルを認識するための情報は、チャネルおよび／または信号が送信されないシンボルに基づいてもよい。例えば、その情報は、チャネルおよび／または信号が送信されないシンボルの最後のシンボルを示す情報である。また、チャネルおよび／または信号が送信されるシンボルを認識するための情報は、他の情報またはパラメータに基づいて決まってもよい。
【０１３７】
また、本実施形態において、チャネルおよび／または信号が送信されるシンボルは、チャネルおよび／または信号に対して独立に設定（通知、規定）されてもよい。すなわち、チャネルおよび／または信号が送信されるシンボルを認識するための情報と、その通知方法は、チャネルおよび／または信号に対して、それぞれ独立に設定（通知、規定）できる。例えば、チャネルおよび／または信号が送信されるシンボルを認識するための情報と、その通知方法は、ＰＤＳＣＨとＥＰＤＣＣＨでそれぞれ独立に設定（通知、規定）できる。
【０１３８】
また、本実施形態において、チャネルおよび／または信号が送信されない（送信できない）シンボル／サブフレームは、端末の観点から、チャネルおよび／または信号が送信される（送信できる）と想定されないシンボル／サブフレームとしてもよい。すなわち、その端末は、そのＬＡＡセルがそのシンボル／サブフレームでチャネルおよび／または信号を送信していないと見なすことができる。
【０１３９】
また、本実施形態において、チャネルおよび／または信号が送信される（送信できる）シンボル／サブフレームは、端末の観点から、チャネルおよび／または信号が送信されるかもしれないと想定するシンボル／サブフレームとしてもよい。すなわち、その端末は、そのＬＡＡセルがそのシンボル／サブフレームでチャネルおよび／または信号を送信しているかもしれないし、送信していないかもしれないと見なすことができる。
【０１４０】
また、本実施形態において、チャネルおよび／または信号が送信される（送信できる）シンボル／サブフレームは、端末の観点から、チャネルおよび／または信号が必ず送信されていると想定するシンボル／サブフレームとしてもよい。すなわち、その端末は、そのＬＡＡセルがそのシンボル／サブフレームでチャネルおよび／または信号を必ず送信していると見なすことができる。
【０１４１】
次に、ＬＡＡセルにおける下りリンクの参照信号の構成の一例を説明する。
【０１４２】
図５は、下りリンクの参照信号の構成の一例を示す図である。一例として、ＣＲＳは、Ｒ０〜Ｒ３のＲＥに配置されることができる。Ｒ０はアンテナポート０のＣＲＳが配置されるＲＥ、Ｒ１はアンテナポート１のＣＲＳが配置されるＲＥ、Ｒ２はアンテナポート２のＣＲＳが配置されるＲＥ、Ｒ３はアンテナポート３のＣＲＳが配置されるＲＥの一例を示す。なお、ＣＲＳは、セル識別子に関連するパラメータによって周波数方向に移って配置されてもよい。具体的には、NcellIDｍｏｄ６の値に基づいて、ＲＥが配置を指定するインデックスｋを増加させる。ここで、NcellIDは物理セル識別子の値である。ＤＭＲＳはＤ１〜Ｄ２のＲＥに配置されることができる。Ｄ１はアンテナポート７、８、１１、１３のＤＭＲＳが配置されるＲＥ、Ｄ２はアンテナポート９、１０、１２、１４のＤＭＲＳが配置されるＲＥの一例を示す。ＣＳＩ−ＲＳは、Ｃ１〜Ｃ４のＲＥに配置されることができる。Ｃ０はアンテナポート１５、１６のＣＳＩ−ＲＳが配置されるＲＥ、Ｃ１はアンテナポート１７、１８のＣＳＩ−ＲＳが配置されるＲＥ、Ｃ２はアンテナポート１９、２０のＣＳＩ−ＲＳが配置されるＲＥ、Ｃ３はアンテナポート２１、２２のＣＳＩ−ＲＳが配置されるＲＥの一例を示す。なお、ＣＳＩ−ＲＳは、スロット０のＯＦＤＭシンボル＃５または＃６と、スロット１のＯＦＤＭシンボル＃１、＃２、または、＃３のＲＥに配置されてもよい。なお、ＣＳＩ−ＲＳは、上位層のパラメータに基づいて、配置されるＲＥが指示される。
【０１４３】
次に、下りリンク送信と上りリンク送信とＬＢＴの関係性について説明する。
【０１４４】
図７に、時間軸上における下りリンク送信と上りリンク送信の間隔とＬＢＴの種類の関係の一例を示す。図７の（ａ）は、時間軸上において下りリンク送信と上りリンク送信の間が十分に離れている場合を示している。下りリンク送信と上りリンク送信の間が十分に離れている場合とは、例えば、１サブフレーム（１ミリ秒）以上の間隔が空いている場合である。このような場合においては、下りリンク送信と上りリンク送信の間にチャネル状態（チャネルセンシング結果）の相関が無いため、それぞれの送信に対して十分にキャリアセンスを行うＬＢＴを行う必要がある。ここで、図７の（ａ）の上りリンク送信の前に行われるＬＢＴを、第一の上りリンクＬＢＴと呼称する。図７の（ｂ）は、時間軸上において下りリンク送信と上りリンク送信の間が僅かに離れている場合を示している。下りリンク送信と上りリンク送信の間が僅かに離れている場合とは、例えば、数シンボル（数十マイクロ秒から数百マイクロ秒）の間隔が空いている場合である。このような場合においては、下りリンク送信の前に行ったＣＣＡによってチャネル状態（チャネルセンシング結果）が上りリンク送信の前も保たれるとみなせるため、端末装置は簡易的なＣＣＡを行ってから上りリンクの信号を送信してもよい。ここで、図７の（ｂ）の上りリンク送信の前に行われるＬＢＴを、第二の上りリンクＬＢＴと呼称する。そして、図７の（ｃ）は、時間軸上において下りリンク送信と上りリンク送信の間が殆ど離れていない場合を示している。下りリンク送信と上りリンク送信の間が殆ど離れていない場合とは、例えば、３４マイクロ秒や４０マイクロ秒など、数マイクロ秒から数十マイクロ秒ほど離れている場合である。このような場合においては、下りリンク送信によって既に上りリンク送信のためのチャネルが予約（確保）されているため、下りリンク送信と上りリンク送信は一つの送信バーストとみなすことができる。そのため、端末装置はＣＣＡを行わずに上りリンク送信を行ってもよい。これらの一例のように、下りリンク送信と上りリンク送信の間隔に応じて、行われるＬＢＴの手順を変更することで、ＬＡＡセルにおいても上りリンクの信号および／またはチャネルを能率よく送信することができる。
【０１４５】
なお、図７における上りリンク送信と下りリンク送信を入れ替えてもよい。つまり、時間軸上において上りリンク送信と下りリンク送信の間が殆ど離れていない場合は、下りリンクＬＢＴを省略してもよい。
【０１４６】
以下では、上りリンクＬＢＴの詳細について説明する。
【０１４７】
なお、以下、上りリンク送信を行う前や上りリンクを送信する前とは、その上りリンク送信が指示されたタイミング（サブフレーム）よりも前という意味である。
【０１４８】
第一の上りリンクＬＢＴは、上りリンク送信が指示されたタイミングよりも前にバックオフカウンタを用いて複数回ＣＣＡチェックを行う。端末装置は、バックオフカウンタの値と同じ回数のＣＣＡチェックを試みる。全てのＣＣＡチェックにおいてチャネルがアイドルであったと判断した場合に、端末装置は、そのチャネルのアクセス権を取得し、上りリンクを送信することができる。
【０１４９】
図８に、第一の上りリンクＬＢＴの手順の一例を示す。端末装置は、アイドル状態（Ｓ８０１）から上りリンクグラントを検出した（Ｓ８０２）場合に、第一のＣＣＡ（Ｓ８０３）を行う。第一のＣＣＡでは、初めに、端末装置は０からｑ−１の範囲からランダムにカウンタ値Ｎを生成する（Ｓ８０３１）。なお、上りリンクグラントによって基地局装置からカウンタ値Ｎに関連する数値が指示される場合は、端末装置はカウンタ値を生成せずに、その数値に基づいたカウンタ値Ｎを用いる。なお、前回のＬＢＴでカウンタ値Ｎが０にならず、まだカウンタ値が残っている場合は、端末装置はカウンタ値Ｎを生成せずに、残ったカウンタ値Ｎを用いてもよい。次に、端末装置は、所定のタイミングからＣＣＡを開始する（Ｓ８０３２）。端末装置は、１つのＣＣＡスロット時間でチャネル（媒体）を感知し（Ｓ８０３３）、そのチャネルがアイドルかビジーかを判断する（Ｓ８０３４）。そのチャネルがアイドルと判断した場合は、カウンタ値Ｎから１つ減らし（Ｓ８０３５）、そのチャネルがビジーと判断した場合は、その上りリンクグラントで指示された上りリンクの送信を行わず、アイドル状態（Ｓ８０１）に戻る。端末装置は、カウンタ値が０になったか否かを判断し（Ｓ８０３６）、カウンタ値が０になった場合には、端末装置はそのチャネルのアクセス権を獲得し、送信の動作（Ｓ８０４、Ｓ８０５）に移行する。一方で、カウンタ値が０ではない場合には、再度１つのＣＣＡスロット時間でチャネル（媒体）を感知する（Ｓ８０３３）。なお、カウンタ値Ｎを生成する際の衝突窓ｑの値はチャネルの状態に応じてＸとＹの間の値となるように更新される（Ｓ８０３７）。端末装置は、送信を行うプロセスにおいて、そのタイミングで実際に上りリンク送信を行うか否かを判断し（Ｓ８０４）、上りリンク送信を行うと決定した場合に上りリンク送信を行う（Ｓ８０５）。端末装置は、上りリンク送信を行わないと決定した場合は、その上りリンクグラントで指示された上りリンクの送信を行わず、アイドル状態（Ｓ８０１）に戻る。
【０１５０】
第一のＣＣＡの期間は、下りリンクＬＢＴにおけるＥＣＣＡ期間と同じであることが好ましい。
【０１５１】
なお、下りリンクＬＢＴと同様に第一のＣＣＡを行う前にＩＣＣＡを行ってもよい。ただし、ＩＣＣＡによってチャネルがアイドルだと判断したとしても上りリンクは送信されず、第一のＣＣＡの動作に移行する。
【０１５２】
第二の上りリンクＬＢＴは、上りリンク送信が指示されたタイミングよりも前に一度だけＣＣＡチェックを行う。端末装置は、一度ＣＣＡチェックを試みる。そのＣＣＡチェックにおいてチャネルがアイドルであったと判断した場合に、端末装置は、そのチャネルのアクセス権を取得し、上りリンクを送信することができる。
【０１５３】
図９に、第二の上りリンクＬＢＴの手順の一例を示す。端末装置は、アイドル状態（Ｓ９０１）から上りリンクグラントを検出した（Ｓ９０２）場合に、第二のＣＣＡ（Ｓ９０３）を行う。第二のＣＣＡでは端末装置は、所定のタイミングからＣＣＡを開始する（Ｓ９０３１）。ＣＣＡ期間にＣＣＡチェックを行い、チャネルがアイドルかビジーかを感知する（Ｓ９０３２）。第二のＣＣＡ（Ｓ９０３）を行った結果、チャネルがアイドルであったと判断した場合、基地局装置はそのチャネルのアクセス権を獲得し、送信の動作に移行する。一方で、第二のＣＣＡ（Ｓ９０３）を行った結果、チャネルがビジーであったと判断した場合、その上りリンクグラントで指示された上りリンクの送信を行わず、アイドル状態（Ｓ９０１）に戻る。送信の動作に移行後、そのタイミングで実際に上りリンク送信を行うか否かを判断し（Ｓ９０４）、上りリンク送信を行うと決定した場合に上りリンク送信を行う（Ｓ９０５）。端末装置は、上りリンク送信を行わないと決定した場合は、その上りリンクグラントで指示された上りリンクの送信を行わず、アイドル状態（Ｓ９０１）に戻る。
【０１５４】
第二のＣＣＡの期間は、下りリンクＬＢＴにおけるＩＣＣＡ期間と同じであることが好ましい。
【０１５５】
以下では、下りリンクＬＢＴと上りリンクＬＢＴの違いを列挙する。
【０１５６】
下りリンクＬＢＴは、基地局装置がＣＣＡチェックを行う。一方で、上りリンクＬＢＴは端末装置がＣＣＡチェックを行う。
【０１５７】
下りリンクＬＢＴは、送信が必要とする情報（データ、バッファ、ロード、トラヒック）が発生した場合に、ＬＢＴの処理が開始される。一方で、上りリンクＬＢＴは基地局装置からの上りリンク送信の指示がされた場合（上りリンクグラントを受信した場合）に、ＬＢＴの処理が開始される。
【０１５８】
なお、下りリンクＬＢＴのＩＣＣＡ期間と、第二のＣＣＡの期間は同じであることが好ましい。なお、下りリンクＬＢＴのＥＣＣＡ期間と、第一のＣＣＡの期間は同じであることが好ましい。
【０１５９】
次に、第一の上りリンクＬＢＴを行って上りリンクを送信する場合と、第二の上りリンクＬＢＴを行って、または上りリンクＬＢＴを行わずに、上りリンクを送信する場合と、の切り替えの具体例を挙げる。
【０１６０】
一例として、上りリンク送信を指示する上りリンクグラント（ＤＣＩフォーマット０または４）に含まれる所定のフィールドに基づいて上りリンクＬＢＴの手順を切り替える。
【０１６１】
所定のフィールドとは、例えば、端末装置に対して上りリンクＬＢＴを指定する１ビットの情報である。言い換えると、その所定のフィールドとは、上りリンクグラントで指示されたサブフレームの直前のサブフレームでチャネルを予約（確保）できているか否かを示す１ビットの情報である。その所定の１ビットが、０（偽、無効、不可能）を示す場合、端末装置は上りリンク送信を行う前に第一の上りリンクＬＢＴを行う。一方で、その所定の１ビットが、１（真、有効、可能）を示す場合、端末装置は上りリンク送信を行う前に第二の上りリンクＬＢＴを行う、または上りリンクＬＢＴを行わない。
【０１６２】
または、所定のフィールドとは、例えば、第一の上りリンクＬＢＴで用いられるカウンタ値Ｎに関連する情報である。その所定のフィールドが、０（無効、不可能）であった場合、端末装置は上りリンク送信を行う前に第二の上りリンクＬＢＴを行う、または上りリンクＬＢＴを行わない。一方で、その所定のフィールドに、０（無効、不可能）以外の数値が入っていた場合、端末装置は上りリンク送信を行う前に、その数値に基づいてカウンタ値Ｎを生成し、第一の上りリンクＬＢＴを行う。
【０１６３】
そのカウンタ値Ｎに関連する情報は、例えば、カウンタ値Ｎである。端末装置は、端末装置自身でカウンタ値Ｎを生成せず、その所定のフィールドの値をカウンタ値Ｎにセットする。
【０１６４】
また、カウンタ値Ｎに関連する情報は、例えば、設定されたカウンタ値Ｎを示すインデックス情報である。端末装置に複数のカウンタ値Ｎの候補が専用ＲＲＣによって設定され、その所定のフィールドの値を取得した場合、フィールドの情報に対応する設定されたカウンタ値Ｎが用いられる。
【０１６５】
また、カウンタ値Ｎに関連する情報は、例えば、衝突窓ｑに関連する情報である。端末装置に複数の衝突窓ｑの候補が専用ＲＲＣによって設定される。端末装置は、その所定のフィールドの値を取得した場合、フィールドの情報に対応する設定された衝突窓ｑの値を用いて、カウンタ値Ｎを生成する。なお、衝突窓ｑに関連する情報は、衝突窓ｑの値でもよい。
【０１６６】
なお、上記の一例は、第二の上りリンクＬＢＴを行って上りリンクを送信する場合と、または上りリンクＬＢＴを行わずに上りリンクを送信する場合と、の切り替えであってもよい。具体的には、所定の１ビットが、０を示す場合、端末装置は上りリンク送信を行う前に第二の上りリンクＬＢＴを行う。一方で、その所定の１ビットが、１（真、有効、可能）を示す場合、端末装置は上りリンク送信を行う前に上りリンクＬＢＴを行わない。
【０１６７】
なお、所定のフィールドの情報は、ＬＢＴを行うギャップを生成するか否かを示す情報であってもよい。例えば、その所定のフィールドの１ビットが、１であった場合、端末装置は、所定のＳＣ−ＦＤＭＡシンボルを開けてＰＵＳＣＨを送信し、その所定のフィールドの１ビットが、０であった場合、端末装置は、所定のＳＣ−ＦＤＭＡシンボルを開けないでＰＵＳＣＨを送信する。所定のＳＣ−ＦＤＭＡシンボルは、例えば、サブフレームの先頭または後方の数ＳＣ−ＦＤＭＡシンボル、サブフレームの先頭または後方のスロット、である。
【０１６８】
なお、所定のフィールドは、他のフィールドと併用して用いられてもよい。例えば、ＳＲＳリクエストフィールドによって上りリンクＬＢＴの手順を切り替えてもよい。具体的には、そのＳＲＳリクエストフィールドが、０を示す場合、端末装置は上りリンク送信を行う前に第二の上りリンクＬＢＴを行い、そのＳＲＳリクエストフィールドが、１を示す場合、上りリンクＬＢＴを行わない。そのＳＲＳリクエストフィールドが、０を示す場合、サブフレームの最後の１つのＳＣ−ＦＤＭＡシンボルには何も送信されない。端末装置は、その最後の１つのＳＣ−ＦＤＭＡシンボルにおいて、第二の上りリンクＬＢＴを行う。
【０１６９】
一例として、上りリンクグラントとは異なるＤＣＩに含まれる所定のフィールドに基づいて上りリンクＬＢＴの手順を切り替える。
【０１７０】
上りリンクグラントとは異なるＤＣＩとは、例えば、そのＤＣＩで指定したサブフレームにおいて下りリンクの送信（送信バースト）がされているか否かを端末装置に通知するためのＤＣＩである。具体的には、そのＤＣＩで指定したサブフレームが上りリンク送信の直前のサブフレームを含み、そのＤＣＩの所定のフィールドは、下りリンク送信がされるか否かを通知する情報である。そのＤＣＩの所定のフィールドによって下りリンク送信がされないと指示された場合、端末装置は上りリンク送信を行う前に、第一の上りリンクＬＢＴを行う。一方で、そのＤＣＩの所定のフィールドによって下りリンク送信がされると指示された場合、端末装置は上りリンク送信を行う前に第二の上りリンクＬＢＴを行う、または上りリンクＬＢＴを行わない。
【０１７１】
その上りリンクグラントとは異なるＤＣＩで通知される情報は、例えば、下りリンク送信の長さである。その情報によって、下りリンク送信の先頭および／または後尾が通知される。なお、下りリンク送信の長さは予め規定、もしくは、設定されることで、端末装置は下りリンク送信の先頭または後尾の情報のみで下りリンク送信の長さを認知することができる。一例として、長さが１サブフレームであり、ＤＣＩで通知される情報が下りリンク送信の先頭が所定のサブフレームの先頭から始まることを指示される場合は、端末装置は、指定された１サブフレームにおいて下りリンク送信がされると認知する。
【０１７２】
また、その上りリンクグラントとは異なるＤＣＩは、非ＬＡＡセルに配置されることが好ましい。具体的には、そのＤＣＩは、プライマリセルまたはプライマリセカンダリセルに存在する共有サーチスペースに配置され、その１つのＤＣＩで複数のサービングセルに対応する情報を通知することができる。
【０１７３】
また、その上りリンクグラントとは異なるＤＣＩは、Ｃ−ＲＮＴＩとは異なる専用のＲＮＴＩ（下りリンク送信通知専用ＲＮＴＩ、Ｂ−ＲＮＴＩ）によってスクランブルされる。その下りリンク送信通知専用ＲＮＴＩは、複数の端末装置に対して個別に設定されるのが好ましいが、端末装置共通の値で設定されてもよい。
【０１７４】
また、その上りリンクグラントとは異なるＤＣＩは、例えば、１つのＰＤＳＣＨコードワードに対する非常に小型なスケジューリングや、ＭＣＣＨ変更の通知、ＴＤＤ再設定のために用いられるＤＣＩフォーマット１Ｃと同じフォーマットサイズである。または、そのＤＣＩは、例えば、ＰＵＣＣＨやＰＵＳＣＨに対するＴＰＣコマンドの送信に用いられるＤＣＩフォーマット３またはＤＣＩフォーマット３Ａと同じフォーマットサイズである。
【０１７５】
なお、その上りリンクグラントとは異なるＤＣＩで、そのＤＣＩで指定したサブフレームにおける上りリンクの送信（送信バースト）がされているかを通知されてもよい。
【０１７６】
なお、上記の一例は、第二の上りリンクＬＢＴを行って上りリンクを送信する場合と、または上りリンクＬＢＴを行わずに上りリンクを送信する場合と、の切り替えであってもよい。具体的には、そのＤＣＩの所定のフィールドによって下りリンク送信がされないと指示された場合、端末装置は上りリンク送信を行う前に、第二の上りリンクＬＢＴを行う。一方で、そのＤＣＩの所定のフィールドによって下りリンク送信がされると指示された場合、端末装置は上りリンク送信を行う前に上りリンクＬＢＴを行わない。
【０１７７】
一例として、送信が予定される上りリンクのチャネルや信号の種類に応じて上りリンクＬＢＴの手順を切り替える。
【０１７８】
例えば、端末装置はＰＵＳＣＨの送信を行う前に、第一の上りリンクＬＢＴを行う。端末装置はＰＲＡＣＨを行う前に第二の上りリンクＬＢＴを行う、または上りリンクＬＢＴを行わない。
【０１７９】
例えば、端末装置はＰＵＳＣＨを伴うＳＲＳの送信を行う前に、第一の上りリンクＬＢＴを行う。端末装置はＰＵＳＣＨを伴わないＳＲＳを行う前に第二の上りリンクＬＢＴを行う、または上りリンクＬＢＴを行わない。
【０１８０】
一例として、端末装置が上りリンクを送信する前に、その端末装置が接続しているセルからの下りリンクの信号またはチャネルが送信されていることを検出したか否かによって上りリンクＬＢＴの手順を切り替える。
【０１８１】
その端末装置が接続しているセルからの下りリンクの信号またはチャネルが送信されていることを検出する基準は、例えば、ＣＲＳの受信電力と閾値との比較が用いられる。上りリンク送信を行うサブフレームの直前のサブフレームにおいて、アンテナポート０（またはアンテナポート１、２、３）のＣＲＳが配置されるＲＥの受信電力が所定の閾値を下回ると端末装置が判断した場合には、端末装置は上りリンク送信を行う前に第一の上りリンクＬＢＴを行う。一方で、上りリンク送信を行うサブフレームの直前のサブフレームにおいて、アンテナポート０（またはアンテナポート１、２、３）のＣＲＳが配置されるＲＥの受信電力が所定の閾値を上回ると端末装置が判断した場合には、端末装置は上りリンク送信を行う前に第二の上りリンクＬＢＴを行う、または上りリンクＬＢＴを行わない。
【０１８２】
その端末装置が接続しているセルからの下りリンクの信号またはチャネルが送信されていることを検出する基準は、例えば、予約信号が検出できたか否かである。下りリンク送信の長さが予め規定もしくは設定され、端末装置が予約信号を検出できた場合、その予約信号を検出した時間（サブフレーム、シンボル、ＲＥ、Ｔｓ）とその下りリンク送信の長さから、上りリンク送信を行うサブフレームの直前のサブフレームにおいて、下りリンク送信がされるか否かを判別することができる。上りリンク送信を行うサブフレームの直前のサブフレームにおいて下りリンク送信がされないと判断した場合には、端末装置は上りリンク送信を行う前に第一の上りリンクＬＢＴを行う。一方で、上りリンク送信を行うサブフレームの直前のサブフレームにおいて下りリンク送信がされると判断した場合には、端末装置は上りリンク送信を行う前に第二の上りリンクＬＢＴを行う、または上りリンクＬＢＴを行わない。端末装置が予約信号を検出できたか否かの基準は、例えば、予約信号が割り当てられるＲＥの受信電力と所定の閾値との比較である。
【０１８３】
その端末装置が接続しているセルからの下りリンクの信号またはチャネルが送信されていることを検出する基準は、例えば、ＰＤＣＣＨまたはＥＰＤＣＣＨが検出できたか否かである。上りリンク送信を行うサブフレームの直前のサブフレームにおいて、ＰＤＣＣＨまたはＥＰＤＣＣＨが復号できた場合に、そのサブフレームは下りリンクサブフレームとして基地局装置が予約していることが端末装置で認識することができる。すなわち、上りリンク送信を行うサブフレームの直前のサブフレームにおいて、ＰＤＣＣＨまたはＥＰＤＣＣＨの復号が成功した場合、端末装置は上りリンク送信を行う前に第一の上りリンクＬＢＴを行う。一方で、上りリンク送信を行うサブフレームの直前のサブフレームにおいて、ＰＤＣＣＨまたはＥＰＤＣＣＨの復号が成功しなかった場合、端末装置は上りリンク送信を行う前に第二の上りリンクＬＢＴを行う、または上りリンクＬＢＴを行わない。
【０１８４】
その端末装置が接続しているセルからの下りリンクの信号またはチャネルが送信されていることを検出する基準は、例えば、ＰＤＳＣＨが検出できたか否かである。上りリンク送信を行うサブフレームの直前のサブフレームにおいて、ＰＤＳＣＨが復号できた場合に、そのサブフレームは下りリンクサブフレームとして基地局装置が予約していることが端末装置で認識することができる。すなわち、上りリンク送信を行うサブフレームの直前のサブフレームにおいて、ＰＤＳＣＨの復号が成功した場合、端末装置は上りリンク送信を行う前に第一の上りリンクＬＢＴを行う。一方で、上りリンク送信を行うサブフレームの直前のサブフレームにおいて、ＰＤＳＣＨの復号が成功しなかった場合、端末装置は上りリンク送信を行う前に第二の上りリンクＬＢＴを行う、または上りリンクＬＢＴを行わない。
【０１８５】
その端末装置が接続しているセルからの下りリンクの信号またはチャネルが送信されていることを検出する基準は、例えば、ＤＭＲＳが検出できたか否かである。上りリンク送信を行うサブフレームの直前のサブフレームにおいて、ＤＭＲＳが検出できた場合に、そのサブフレームは下りリンクサブフレームとして基地局装置が予約していることが端末装置で認識することができる。すなわち、上りリンク送信を行うサブフレームの直前のサブフレームにおいて、ＤＭＲＳが検出できた場合、端末装置は上りリンク送信を行う前に第一の上りリンクＬＢＴを行う。一方で、上りリンク送信を行うサブフレームの直前のサブフレームにおいて、ＤＭＲＳが検出できた場合、端末装置は上りリンク送信を行う前に第二の上りリンクＬＢＴを行う、または上りリンクＬＢＴを行わない。端末装置が予約信号を検出できたか否かの基準は、例えば、ＤＭＲＳが割り当てられるＲＥの受信電力と所定の閾値との比較である。すなわち、アンテナポート７または９の受信電力と所定の閾値との比較である。
【０１８６】
一例として、端末装置が上りリンクを送信する前に、その端末装置が上りリンクの信号またはチャネルが送信しているか否かによって上りリンクＬＢＴの手順を切り替える。
【０１８７】
例えば、上りリンク送信を行うサブフレームの直前のサブフレームにおいて、端末装置がＰＵＳＣＨを送信している場合に、そのサブフレームは上りリンクサブフレームとしてチャネルを予約できているためＬＢＴ無しで送信することができる。すなわち、上りリンク送信を行うサブフレームの直前のサブフレームにおいて、端末装置がＰＵＳＣＨを送信していない場合、その端末装置は上りリンク送信を行う前に第一の上りリンクＬＢＴ、または第二の上りリンクＬＢＴを行う。一方で、上りリンク送信を行うサブフレームの直前のサブフレームにおいて、ＰＵＳＣＨを送信している場合、端末装置は上りリンクＬＢＴを行わない。
【０１８８】
例えば、上りリンク送信を行うサブフレームの直前のサブフレームにおいて、端末装置がＳＲＳを送信している場合に、そのサブフレームは上りリンクサブフレームとしてチャネルを予約できているためＬＢＴ無しで送信することができる。すなわち、上りリンク送信を行うサブフレームの直前のサブフレームにおいて、端末装置がＳＲＳを送信していない場合、その端末装置は上りリンク送信を行う前に第一の上りリンクＬＢＴ、または第二の上りリンクＬＢＴを行う。一方で、上りリンク送信を行うサブフレームの直前のサブフレームにおいて、ＳＲＳを送信している場合、端末装置は上りリンクＬＢＴを行わない。
【０１８９】
例えば、上りリンク送信を行うサブフレームの直前のサブフレームにおいて、端末装置がＰＲＡＣＨを送信している場合に、そのサブフレームは上りリンクサブフレームとしてチャネルを予約できているためＬＢＴ無しで送信することができる。すなわち、上りリンク送信を行うサブフレームの直前のサブフレームにおいて、端末装置がＰＲＡＣＨを送信していない場合、その端末装置は上りリンク送信を行う前に第一の上りリンクＬＢＴ、または第二の上りリンクＬＢＴを行う。一方で、上りリンク送信を行うサブフレームの直前のサブフレームにおいて、ＰＲＡＣＨを送信している場合、端末装置は上りリンクＬＢＴを行わない。
【０１９０】
一例として、上位層からの設定に応じて、上りリンクＬＢＴの手順を切り替える。
【０１９１】
上位層からの設定とは、例えば、上りリンクＬＢＴの手順を指定する設定情報である。端末装置に対して第一の上りリンクＬＢＴを指定する設定がされた場合、端末装置はそのＬＡＡセルの上りリンク送信を行う前に第一の上りリンクＬＢＴを行う。端末装置に対して第二の上りリンクＬＢＴを指定する設定がされた場合、端末装置はそのＬＡＡセルの上りリンク送信を行う前に第二の上りリンクＬＢＴを行う。端末装置に対して上りリンクＬＢＴを行わないことを指定する設定がされた場合、端末装置はそのＬＡＡセルの上りリンク送信を行う前に上りリンクＬＢＴを行わない。
【０１９２】
上位層からの設定とは、例えば、そのＬＡＡセルに対してクロスキャリアスケジューリングを行う設定である。そのＬＡＡセルに対してクロスキャリアスケジューリングが設定された場合、端末装置は第一の上りリンクＬＢＴを行い、そのＬＡＡセルに対してセルフスケジューリングが設定された場合（換言すると、そのＬＡＡセルに対してクロスキャリアスケジューリングが設定されない場合）には、端末装置は第二の上りリンクＬＢＴを行う、または上りリンクＬＢＴを行わない。すなわち、そのＬＡＡセルに対しての上りリンク送信をスケジュールする上りリンクグラントのＰＤＣＣＨまたはＥＰＤＣＣＨがそのＬＡＡセル以外でモニタすることが設定された場合、端末装置は上りリンク送信を行う前に第一の上りリンクＬＢＴを行う。一方で、そのＬＡＡセルに対しての上りリンク送信をスケジュールする上りリンクグラントのＰＤＣＣＨまたはＥＰＤＣＣＨがそのＬＡＡセル以外でモニタすることが設定されない場合、端末装置は上りリンク送信を行う前に第二の上りリンクＬＢＴを行う、または上りリンクＬＢＴを行わない。
【０１９３】
クロスキャリアスケジューリングの設定は、下りリンクグラントと上りリンクグラントに対してそれぞれ設定されてもよい。その場合、上記の切り替えの一例は、上りリンクグラントがクロスキャリアスケジューリングとして設定されたか否か、の切り替えと見做す。
【０１９４】
上位層からの設定とは、例えば、そのＬＡＡセルが運用される国を示す情報の設定である。その情報において、特定の国（例えば、日本やヨーロッパ）を示す場合、端末装置はそのＬＡＡセルの上りリンク送信を行う前に第一の上りリンクＬＢＴを行う。一方で、その情報において、特定の国以外の国（例えば、アメリカや中国）を示す場合、端末装置はそのＬＡＡセルの上りリンク送信を行う前に第二の上りリンクＬＢＴを行う、または上りリンクＬＢＴを行わない。その運用される国を示す情報は、例えば、ＰＬＭＮ（Public Land Mobile Network）である。ＰＬＭＮとは、国とオペレータを示す識別子である。ＰＬＭＮは、ＳＩＢ１に含まれて、端末装置に報知される。なお、運用される国の情報に加え、運用するバンド（operating band）に応じて上りリンクＬＢＴの手順を切り替えてもよい。運用するバンドを示す情報は、上位層から設定されるキャリアの中心周波数の情報（ＥＡＲＦＣＮ  ｖａｌｕｅ）から識別することができる。
【０１９５】
特定の国とは、ＬＢＴを行うことが必要な国である。国の情報と端末装置の能力（ケイパビリティ）は対応されてもよい。すなわち、端末装置は、特定の国の情報に紐付いて、必須である能力が指定されてもよい。
【０１９６】
上位層からの設定とは、例えば、第一の上りリンクＬＢＴの設定である。端末装置に対して第一の上りリンクＬＢＴの設定がされたか否かに応じて上りリンクＬＢＴの手順を切り替える。具体的には、上位層から第一の上りリンクＬＢＴの設定がされた場合、端末装置はそのＬＡＡセルの上りリンク送信を行う前に第一の上りリンクＬＢＴを行う。一方で、上位層から第一の上りリンクＬＢＴの設定がされなかった場合、端末装置はそのＬＡＡセルの上りリンク送信を行う前に第二の上りリンクＬＢＴを行う、または上りリンクＬＢＴを行わない。第一の上りリンクＬＢＴの設定は、例えば、衝突窓ｑを決定するための範囲ＸおよびＹの情報または衝突窓ｑの値、ＣＣＡのスロット長、ＣＣＡの閾値、などが含まれる。
【０１９７】
なお、端末装置に対して第二の上りリンクＬＢＴの設定がされたか否かに応じて上りリンクＬＢＴの手順を切り替えてもよい。具体的には、上位層から第二の上りリンクＬＢＴの設定がされなかった場合、端末装置はそのＬＡＡセルの上りリンク送信を行う前に第一の上りリンクＬＢＴを行う。一方で、上位層から第二の上りリンクＬＢＴの設定がされた場合、端末装置はそのＬＡＡセルの上りリンク送信を行う前に第二の上りリンクＬＢＴを行う。第二の上りリンクＬＢＴの設定は、例えば、衝突窓ｑの値、ＣＣＡのスロット長、ＣＣＡの閾値、などが含まれる。
【０１９８】
第一の上りリンクＬＢＴの設定、および、第二の上りリンクＬＢＴの設定は、セル固有に設定されることが好ましい。なお、サービングセルとして設定された全セルに対して１つの設定情報によって共通に設定されてもよい。この場合、サービングセルとして設定された非ＬＡＡセルには適用されない。
【０１９９】
なお、上位層からの設定を複数組み合わせた場合に切り替えられてもよい。具体例として、そのＬＡＡセルに対してクロスキャリアスケジューリングが設定されず、かつ、そのＬＡＡセルが運用される国が特定の国であると通知された場合、端末装置はそのＬＡＡセルの上りリンク送信を行う前に第二の上りリンクＬＢＴを行う、または上りリンクＬＢＴを行わない。そのＬＡＡセルに対してクロスキャリアスケジューリングが設定される、または、そのＬＡＡセルが運用される国が特定の国以外の国であると通知された場合、端末装置はそのＬＡＡセルの上りリンク送信を行う前に第一の上りリンクＬＢＴを行う。
【０２００】
さらに、上記の一例を複数組み合わせた場合に切り替えられてもよい。具体例として、そのＬＡＡセルに対してセルフスケジューリングが設定され、かつ、上りリンク送信を指示する上りリンクグラントに含まれる所定のフィールドによって第一のＬＢＴを行うことを指示する場合、端末装置はそのＬＡＡセルの上りリンク送信を行う前に第一の上りリンクＬＢＴを行い、それ以外は、端末装置はそのＬＡＡセルの上りリンク送信を行う前に第二の上りリンクＬＢＴを行う、または上りリンクＬＢＴを行わない。
【０２０１】
なお、上記の一例によって、パラメータが切り替わってもよい。具体例として、端末装置は第一の上りリンクＬＢＴを行うが、そのＬＡＡセルに対してセルフスケジューリングが設定された場合には、衝突窓ｑは上位層（ＲＲＣ）で設定された値が適用され、そのＬＡＡセルに対してクロスキャリアスケジューリングが設定された場合には、衝突窓ｑは上位層（ＲＲＣ）で設定された値に基づいて送信機会ごとに更新される。
【０２０２】
なお、上記の一例は、第二の上りリンクＬＢＴを行って上りリンクを送信する場合と、または上りリンクＬＢＴを行わずに上りリンクを送信する場合と、の切り替えであってもよい。具体的には、そのＬＡＡセルに対しての上りリンク送信をスケジュールする上りリンクグラントのＰＤＣＣＨまたはＥＰＤＣＣＨがそのＬＡＡセル以外でモニタすることが設定された場合、端末装置は上りリンク送信を行う前に第二の上りリンクＬＢＴを行う。一方で、そのＬＡＡセルに対しての上りリンク送信をスケジュールする上りリンクグラントのＰＤＣＣＨまたはＥＰＤＣＣＨがそのＬＡＡセル以外でモニタすることが設定されない場合、端末装置は上りリンク送信を行う前に上りリンクＬＢＴを行わない。
【０２０３】
図１０に、ＬＡＡセルにおけるＰＵＳＣＨの周波数多重の一例を示す。ＬＡＡセルでは、ＰＵＳＣＨのリソースは、周波数方向に連続で割当てられず、数サブキャリアを開けて飛び飛びに割り当てられる。そして、異なる端末装置間のＰＵＳＣＨはサブキャリアで入れ子になるように、織り交ぜて割り当てられる。図１０では、３サブキャリア間隔でＰＵＳＣＨが割り当てられており、３つの端末装置のＰＵＳＣＨが１サブキャリアごとに織り交ぜて割り当てられる。これにより、端末装置は少ないリソースで帯域幅の全体を利用することができる。
【０２０４】
ＬＡＡセルにおいて、同じサブフレーム（時間リソース）を用いて複数の端末装置間で周波数多重または空間多重を行うためには、それぞれの端末装置からの上りリンクチャネルおよび／または上りリンク信号が基地局装置で同時に受信されるように、端末装置の送信タイミングを調整する必要がある。さらに、ＬＡＡセルにおいて、上りリンク送信を行う前には上りリンクＬＢＴが行われる。カウンタ値Ｎに基づくＬＢＴを行う場合は、カウンタ値Ｎに応じてＣＣＡの試行回数およびＬＢＴにかかる時間が変化する。以下では、上りリンク送信と上りリンクＬＢＴの開始タイミングの関係について説明する。
【０２０５】
図１１は、上りリンク送信と上りリンクＬＢＴの開始タイミングの関係の一例である。図１１は、図８の上りリンクＬＢＴの手順で動作することを前提にしている。基地局装置は各端末装置に対して上りリンク送信のタイミング（サブフレーム）を通知する。上りリンク送信のタイミングは、例えば、上りリンクグラントの受信サブフレームから暗示的に通知される。端末装置はカウンタ値Ｎを独立に生成する。そして端末装置は、カウンタ値ＮとＣＣＡ期間から上りリンクＬＢＴが完了する時間を推定し、ＬＢＴの開始タイミングを決定する。つまり、端末装置は、上りリンク送信の開始タイミングと、第一のＣＣＡの回数（カウンタ値Ｎ）から、上りリンクＬＢＴの開始タイミングを計算することができる。すなわち、上りリンク送信のためのＣＣＡは、端末装置における上りリンクサブフレームの先頭より、（カウンタ値Ｎ×ＣＣＡ期間）マイクロ秒前から開始される。
【０２０６】
ＣＣＡの結果、チャネルがビジーと判断した端末装置は、その指示された上りリンク送信のタイミングにおいて、上りリンク送信を行わない。このとき、カウンタ値Ｎは破棄されず、次の上りリンクＬＢＴに引き継がれる。言い換えると、カウンタ値Ｎが残っている場合は、カウンタ値Ｎを生成しない。なお、ＤＣＩフォーマットの種類や特定のパラメータによっては、カウンタ値Ｎを破棄し、次の上りリンクＬＢＴに引き継がなくてもよい。例えば、新データを示すパラメータ（New data indicator）で初送を示す情報を受信した場合、端末装置はカウンタ値Ｎを破棄し、次の上りリンクＬＢＴに引き継がない。また、カウンタ値Ｎは、ＨＡＲＱプロセスと紐付けてもよい。すなわち、異なるＨＡＲＱプロセス間のＰＵＳＣＨに対する上りリンクＬＢＴのカウンタ値Ｎは独立である。
【０２０７】
なお、上りリンク送信は、上りリンクサブフレームの途中から送信されてもよい。そのとき、上りリンク送信のためのＣＣＡは、端末装置に指示された上りリンク送信の先頭より、（カウンタ値Ｎ×ＣＣＡ期間）マイクロ秒前から開始される。
【０２０８】
なお、上りリンクＬＢＴにおいて、初期ＣＣＡを行ってもよい。そのとき、上りリンク送信のためのＣＣＡは、端末装置における上りリンク送信が指示された上りリンクサブフレームの先頭より、（初期ＣＣＡ期間＋カウンタ値Ｎ×ＣＣＡ期間）マイクロ秒前から開始される。
【０２０９】
なお、受信機から送信機への切り替え時間が必要な場合は、その時間も考慮して上りリンクＬＢＴの開始タイミングが定まる。すなわち、上りリンク送信のためのＣＣＡは、端末装置における上りリンク送信が指示された上りリンクサブフレームの先頭より、（カウンタ値Ｎ×ＣＣＡ期間＋受信機から送信機への切り替え時間）マイクロ秒前から開始される。
【０２１０】
なお、上りリンク送信のためのＣＣＡの開始タイミングは、下りリンクの無線フレーム（下りリンクサブフレーム）を基準に計算されてもよい。すなわち、上りリンク送信のためのＣＣＡは、端末装置における上りリンク送信が指示された上りリンクサブフレームに相当する下りリンクサブフレームの先頭より、（カウンタ値Ｎ×ＣＣＡ期間＋上りリンク−下りリンクフレームタイミング調整時間）マイクロ秒前から開始される。ここで、上りリンク−下りリンクフレームタイミング調整時間は、(NTA+NTA_offset)×Tsであり、NTAは０から２０５１２の間の値になる上りリンク送信タイミングを調整する端末装置固有のパラメータ、NTA_offsetは上りリンク送信タイミングを調整するフレーム構成タイプ固有のパラメータである。
【０２１１】
ここで、ＬＡＡセルにおいて、NTAが取り得る値に制限が掛かってもよい。すなわち、ＬＡＡセルにおいて、NTAの最大値は２０５１２よりも小さい。
【０２１２】
図１２は、上りリンク送信と上りリンクＬＢＴの開始タイミングの関係の一例である。図１２は、図８の上りリンクＬＢＴの手順で動作することを前提にしている。基地局装置は各端末装置に対して上りリンクＬＢＴの開始タイミングとカウンタ値Ｎに関連する情報を通知する。上りリンクＬＢＴの開始タイミングは、例えば、上りリンクグラントの受信サブフレームから暗示的に通知される。端末装置は、上りリンクＬＢＴの開始タイミングとカウンタ値Ｎから上りリンク送信の開始タイミングを認識することができる。つまり、端末装置は、上りリンクＬＢＴの開始タイミングと、第一のＣＣＡの回数（カウンタ値Ｎ）から、上りリンク送信の開始タイミングを計算することができる。すなわち、上りリンク送信は、端末装置におけるＣＣＡが指示された上りリンクサブフレームの先頭から、（カウンタ値Ｎ×ＣＣＡ期間）マイクロ秒後に開始される。ここで、多重される全ての端末装置に同じカウンタ値Ｎが設定される。
【０２１３】
カウンタ値Ｎに関連する情報は、例えば、カウンタ値Ｎである。端末装置は、カウンタ値Ｎを通知された場合、その値を用いて上りリンクＬＢＴを行う。
【０２１４】
また、カウンタ値Ｎに関連する情報は、例えば、カウンタ値Ｎを生成するための乱数の種である。端末装置は、通知された値と他のパラメータを用いてカウンタ値Ｎを生成する。他のパラメータは、例えば、ＰＵＳＣＨに対するＨＡＲＱ−ＡＣＫの累積値、セルＩＤ、サブフレーム番号、システムフレーム番号、などである。
【０２１５】
ＣＣＡの結果、チャネルがビジーと判断した端末装置は、その指示された上りリンク送信のタイミングにおいて、上りリンク送信を行わない。このとき、カウンタ値Ｎを破棄し、次の上りリンクＬＢＴに引き継がない。
【０２１６】
なお、上りリンクＬＢＴにおいて、初期ＣＣＡを行ってもよい。そのとき、上りリンク送信は、端末装置におけるＣＣＡが指示された上りリンクサブフレームの先頭から、（初期ＣＣＡ期間＋カウンタ値Ｎ×ＣＣＡ期間）マイクロ秒後に開始される。
【０２１７】
なお、受信機から送信機への切り替え時間が必要な場合は、その時間も考慮して上りリンクＬＢＴの開始タイミングが定まる。すなわち、上りリンク送信は、端末装置におけるＣＣＡが指示された上りリンクサブフレームの先頭から、（カウンタ値Ｎ×ＣＣＡ期間＋受信機から送信機への切り替え時間）マイクロ秒後に開始される。
【０２１８】
なお、上りリンク送信は、下りリンクの無線フレーム（下りリンクサブフレーム）を基準に計算されてもよい。すなわち、上りリンク送信は、端末装置におけるＣＣＡが指示された上りリンクサブフレームに相当する下りリンクサブフレームの先頭より、（カウンタ値Ｎ×ＣＣＡ期間―上りリンク−下りリンクフレームタイミング調整時間）マイクロ秒後から開始される。ここで、上りリンク−下りリンクフレームタイミング調整時間は、(NTA+NTA_offset)×Tsであり、NTAは０から２０５１２の間の値になる上りリンク送信タイミングを調整する端末装置固有のパラメータ、NTA_offsetは上りリンク送信タイミングを調整するフレーム構成タイプ固有のパラメータである。
【０２１９】
図１３は、上りリンク送信と上りリンクＬＢＴの開始タイミングの関係の一例である。図１３は、図９の上りリンクＬＢＴの手順で動作することを前提にしている。基地局装置は各端末装置に対して上りリンク送信のタイミング（サブフレーム）を通知する。上りリンク送信のタイミングは、例えば、上りリンクグラントの受信サブフレームから暗示的に通知される。そして端末装置は、ＣＣＡ期間から上りリンクＬＢＴが完了する時間を推定し、ＬＢＴの開始タイミングを決定する。すなわち、上りリンク送信のためのＣＣＡは、端末装置における上りリンク送信が指示された上りリンクサブフレームの先頭より、（ＣＣＡ期間）マイクロ秒前から開始される。
【０２２０】
なお、上りリンク送信のタイミングの代わりに上りリンクＬＢＴの開始タイミングを通知してもよい。その場合、端末装置は、ＣＣＡ期間から上りリンク送信のタイミングを認知することができる。すなわち、上りリンク送信のためのＣＣＡは、端末装置における上りリンク送信が指示された上りリンクサブフレームの先頭から、（ＣＣＡ期間）マイクロ秒前に開始される。
【０２２１】
ＣＣＡの結果、チャネルがビジーと判断した端末装置は、その指示された上りリンク送信のタイミングにおいて、上りリンク送信を行わない。
【０２２２】
図１４は、上りリンク送信と上りリンクＬＢＴの開始タイミングの関係の一例である。図１４は、後述する図１５の上りリンクＬＢＴの手順で動作することを前提にしている。基地局装置は各端末装置に対して上りリンク送信のタイミング（サブフレーム）を通知する。上りリンク送信のタイミングは、例えば、上りリンクグラントの受信サブフレームから暗示的に通知される。端末装置は、第一のＣＣＡの開始タイミングから第一のＣＣＡを開始する。カウンタ値Ｎが０になった場合は、端末装置は、第三のＣＣＡの開始タイミングまで、待機する。そして、第三のＣＣＡの開始タイミングから第三のＣＣＡを行い、全てのＣＣＡ期間においてチャネルがアイドルであった場合に、上りリンク送信が行われる。
【０２２３】
第一のＣＣＡの開始タイミングは、例えば、上りリンク送信の前のサブフレームの先頭である。すなわち、上りリンク送信のための第一のＣＣＡは、端末装置に指示された上りリンク送信の先頭から最近のサブフレームの先頭から開始される。
【０２２４】
または、第一のＣＣＡの開始タイミングは、例えば、その端末装置の衝突窓ｑに基づいて決まる。すなわち、上りリンク送信のための第一のＣＣＡは、端末装置に指示された上りリンク送信の先頭から（衝突窓ｑ×ＣＣＡ期間）マイクロ秒前から開始される。
【０２２５】
上りリンク送信のための第三のＣＣＡは、端末装置における上りリンク送信が指示された上りリンクサブフレームの先頭より、（第三のＣＣＡ期間）マイクロ秒前から開始される。
【０２２６】
上りリンク送信のための第三のＣＣＡの期間は、ＩＣＣＡ期間と同じであることが好ましい。
【０２２７】
図１５は、上りリンクＬＢＴの手順の一例である。端末装置は、アイドル状態（Ｓ１５０１）から上りリンクグラントを検出した（Ｓ１５０２）場合に、第一のＣＣＡ（Ｓ１５０３）を行う。第一のＣＣＡでは、初めに、端末装置は０からｑ−１の範囲からランダムにカウンタ値Ｎを生成する（Ｓ１５０３１）。なお、上りリンクグラントによって基地局装置からカウンタ値Ｎに関連する数値が指示される場合は、端末装置はカウンタ値を生成せずに、その数値に基づいたカウンタ値Ｎを用いる。なお、前回のＬＢＴでカウンタ値Ｎが０にならず、まだカウンタ値が残っている場合は、端末装置はカウンタ値Ｎを生成せずに、残ったカウンタ値Ｎを用いてもよい。次に、端末装置は、所定のタイミングからＣＣＡを開始する（Ｓ１５０３２）。端末装置は、１つのＣＣＡスロット時間でチャネル（媒体）を感知し（Ｓ１５０３３）、そのチャネルがアイドルかビジーかを判断する（Ｓ１５０３４）。そのチャネルがアイドルであると判断された場合は、カウンタ値Ｎから１つ減らし（Ｓ１５０３５）、そのチャネルがビジーだと判断された場合は、第三のＣＣＡチェックタイミングを超えたか否かを判断する（Ｓ１５０３８）。第三のＣＣＡチェックタイミングを超えていない場合は、端末装置は１つのＣＣＡスロット時間でチャネル（媒体）を感知するプロセス（Ｓ１５０３３）に戻る。第三のＣＣＡチェックタイミングを超えた場合は、端末装置はその上りリンクグラントで指示された上りリンクの送信を行わず、アイドル状態（Ｓ１５０１）に戻る。カウンタ値Ｎを１つ減らした後、端末装置は、カウンタ値が０になったか否かを判断し（Ｓ１５０３６）、カウンタ値が０になった場合には、第三のＣＣＡ（Ｓ１５０４）の動作に移行する。一方で、カウンタ値が０ではない場合には、再度１つのＣＣＡスロット時間でチャネル（媒体）を感知する（Ｓ１５０３３）。なお、カウンタ値Ｎを生成する際の衝突窓ｑの値はチャネルの状態に応じてＸとＹの間の値となるように更新される（Ｓ１５０３７）。次に、第三のＣＣＡ（Ｓ１５０４）では、端末装置は第三のＣＣＡを開始するタイミングまで待機し（Ｓ１５０４１）、第三のＣＣＡ期間でチャネルを感知する（Ｓ１５０４２）。その結果、チャネルがビジーであると判断した場合には、端末装置はその上りリンクグラントで指示された上りリンクの送信を行わず、アイドル状態（Ｓ１５０１）に戻る。一方で、その結果、チャネルがアイドルであると判断した場合には、端末装置はそのチャネルのアクセス権を獲得し、送信の動作（Ｓ１５０５、Ｓ１５０６）に移行する。端末装置は、送信を行うプロセスにおいて、そのタイミングで実際に上りリンク送信を行うか否かを判断し（Ｓ１５０５）、上りリンク送信を行うと決定した場合に上りリンク送信を行う（Ｓ１５０６）。端末装置は、上りリンク送信を行わないと決定した場合は、その上りリンクグラントで指示された上りリンクの送信を行わず、アイドル状態（Ｓ１５０１）に戻る。
【０２２８】
なお、下りリンクＬＢＴと同様にＩＣＣＡを行ってもよい。ただし、ＩＣＣＡによってチャネルがアイドルだと判断したとしても上りリンクは送信されず、ＥＣＣＡの動作に移行する。
【０２２９】
これらにより、乱数バックオフによって長期間のＣＣＡチェックを行いながらも、１つのサブフレームを複数の端末装置で多重して送受信することができる。
【０２３０】
なお、ＬＡＡセルは半二重（half duplex）で運用されることが好ましい。端末装置は、あるＬＡＡセルで上りリンク送信を行っているサブフレームにおいて、サービングセルとして設定された他のＬＡＡセルからの下りリンクの信号および／またはチャネルの受信を期待しない。具体的には、端末装置は、あるＬＡＡセルにおいてＤＣＩフォーマット０／４によってＰＵＳＣＨがスケジュールされたサブフレームでは、サービングセルとして設定された全てのＬＡＡセルにおいてＰＤＣＣＨまたはＥＰＤＣＣＨを受信することを期待しない。さらに、端末装置は、そのサブフレームにおいて、サービングセルとして設定されたＬＡＡセルにおいて上りリンクＬＢＴを行わない。もしくは、端末装置は、そのサブフレームにおいて、サービングセルとして設定されたＬＡＡセルの上りリンクＬＢＴの結果としてビジーだと思ってもよい。また、端末装置は、あるＬＡＡセルで下りリンクの受信を行っているサブフレームにおいて、サービングセルとして設定された他のＬＡＡセルで上りリンク送信を行わない。具体例として、端末装置は、ＤＭＴＣ区間として設定されたサブフレームにおいては、上りリンク送信を行わない。端末装置は、ＤＭＴＣ区間として設定されたサブフレームに対して、ＰＵＳＣＨがスケジュールされることを期待しない。また、ＬＡＡセルで運用されるサービングセルにおいて、端末装置は上りリンクサブフレームの直前の下りリンクサブフレームの最後の部分を受信しないことによってガード期間を生成する。または、ＬＡＡセルで運用されるサービングセルにおいて、端末装置は、上りリンクサブフレームの直前の下りリンクサブフレームを受信しないこと、および、上りリンクサブフレームの直後の下りリンクサブフレームを受信しないこと、によってガード期間を生成する。
【０２３１】
なお、そのガード期間において上りリンクＬＢＴを行ってもよい。
【０２３２】
本実施形態において説明された内容の一部を換言すると以下の通りである。
【０２３３】
端末装置は、ＰＤＣＣＨを受信する受信部と、サービングセルでＰＵＳＣＨを送信する送信部と、ＰＵＳＣＨの送信が指示されたサブフレームの前に乱数に基づいた回数分ＣＣＡチェックを行う第一のＬＢＴ、または、一回のみＣＣＡチェックを行う第二のＬＢＴを行うＣＣＡチェック部を備える。端末装置は、所定の条件に基づいて、第一のＬＢＴと第二のＬＢＴを切り替える。
【０２３４】
また、ＰＤＣＣＨの情報は、１ビットであり、ＰＤＣＣＨの情報が１であった場合に、ＰＵＳＣＨの送信が指示されたサブフレームの前に第一のＬＢＴを行い、ＰＤＣＣＨの情報が０であった場合に、ＰＵＳＣＨの送信が指示されたサブフレームの前に第二のＬＢＴを行う。
【０２３５】
また、ＰＵＳＣＨを送信するサブフレームの直前のサブフレームで下りリンク送信バーストを検出しなかった場合に、ＰＵＳＣＨの送信が指示されたサブフレームの前に第一のＬＢＴを行い、ＰＵＳＣＨを送信するサブフレームの直前のサブフレームで下りリンク送信バーストを検出した場合に、ＰＵＳＣＨの送信が指示されたサブフレームの前に第二のＬＢＴを行う。
【０２３６】
また、サービングセルとは異なるサービングセルでＰＤＣＣＨのモニタすることが設定された場合に、ＰＵＳＣＨの送信が指示されたサブフレームの前に第一のＬＢＴを行い、サービングセルとは異なるサービングセルでＰＤＣＣＨのモニタすることが設定されなかった場合に、ＰＵＳＣＨの送信が指示されたサブフレームの前に第二のＬＢＴを行う。
【０２３７】
また、ＰＵＳＣＨを送信するサブフレームの直前のサブフレームでＰＵＳＣＨを送信していない場合に、ＰＵＳＣＨの送信が指示されたサブフレームの前に第一のＬＢＴを行い、ＰＵＳＣＨを送信するサブフレームの直前のサブフレームでＰＵＳＣＨを送信している場合に、ＰＵＳＣＨの送信が指示されたサブフレームの前でＬＢＴを行わない。
【０２３８】
また、本実施形態において説明された内容の一部を換言すると以下の通りである。
【０２３９】
端末装置は、ＰＵＳＣＨを送信する送信部と、ＰＵＳＣＨの送信が指示されたサブフレームの前にＬＢＴを行うＣＣＡチェック部を備える。端末装置は、ＰＵＳＣＨの送信開始時間とＣＣＡスロット長から、ＬＢＴの開始時間を決定する。
【０２４０】
また、ＬＢＴは、所定の回数分のＣＣＡチェックを行い、ＰＵＳＣＨの送信開始時間とＣＣＡスロット長とＣＣＡチェックの回数から、ＬＢＴの開始時間を決定する。
【０２４１】
また、端末装置は、ＰＤＣＣＨを受信する受信部を備える。ＣＣＡチェックの回数は、ＰＤＣＣＨによって指示される。
【０２４２】
なお、本実施形態の上りリンクＬＢＴは、サイドリンク送信のためのサイドリンクＬＢＴに対しても同様に適用されてもよい。サイドリンク送信とは、端末装置と端末装置の間（Ｄ２Ｄ、device to device communication）の通信に用いられる。
【０２４３】
尚、端末装置１に所定のサービングセルに対してＬＡＡの通信に必要な設定（LAA-Config）が１つ以上された場合、所定のサービングセルはＬＡＡセルとみなしてもよい。ＬＡＡの通信に必要な設定は、例えば、予約信号に関するパラメータ、ＲＳＳＩの測定に関するパラメータ、第２のＤＳの設定に関するパラメータ、である。
【０２４４】
尚、端末装置１に所定のサービングセルに対してＬＡＡバンドに対応する中心周波数の情報（ＥＡＲＦＣＮ  ｖａｌｕｅ）が設定された場合、その周波数のセルはＬＡＡセルとみなおしてもよい。ＬＡＡバンド（ＬＡＡのオペレーティングバンド）とは、例えば、バンド番号が２５２〜２５５のいずれかであるバンド、ＴＤＤバンドでもＦＤＤバンドでもないバンド、５ＧＨｚ帯で定義されるバンド、２０ＭＨｚの帯域幅のみで定義されるバンド、の特徴を１つ以上満たすバンドである。
【０２４５】
なお、所定の周波数は、ＬＡＡセルで用いられる周波数であることが好ましい。なお、所定の周波数は、ＬＢＴに基づいてＤＳが送信されるセルの周波数であることが好ましい。なお、所定の周波数は、アンライセンスバンドで運用されるセルの周波数であることが好ましい。なお、所定の周波数は、オペレーティングバンドの所定のインデックスに対応するオペレーティングバンドの周波数であることが好ましい。なお、所定の周波数は、ＬＡＡのオペレーティングバンドのインデックスに対応するオペレーティングバンドの周波数であることが好ましい。なお、上記所定の周波数は、オペレーティングバンド（Ｅ−ＵＴＲＡオペレーティングバンド）の所定のインデックスに対応するオペレーティングバンドであることが好ましい。例えば、オペレーティングバンドはテーブルで管理されることが好ましく、テーブルで管理される各オペレーティングバンドには、対応するインデックスが与えられる。該インデックスには、対応するアップリンクオペレーティングバンドとダウンリンクオペレーティングバンドとデュプレックスモードが紐付けられる。なお、アップリンクオペレーティングバンドは基地局装置における受信および端末装置における送信に使用されるオペレーティングバンドであり、ダウンリンクオペレーティングバンドは基地局装置における送信および端末装置における受信に使用されるオペレーティングバンドである。なお、アップリンクオペレーティングバンドとダウンリンクオペレーティングバンドは、それぞれ下限の周波数と上限の周波数（対応する周波数帯）で与えられることが好ましい。なお、デュプレックスモードはＴＤＤまたはＦＤＤで与えられることが好ましい。なお、ＬＡＡセルにおけるデュプレックスモードは、ＴＤＤとＦＤＤ以外であってもよい。例えば、ＬＡＡセルにおけるデュプレックスモードは、後述する送信バースト（少なくともダウンリンクバーストを含む、アップリンクバーストを含むか否かは任意）であってもよい。
【０２４６】
例えば、オペレーティングバンドがテーブルで管理される場合、インデックス“１”からインデックス“４４”に対応するオペレーティングバンドはライセンスドバンド（ＬＡＡでないバンド）であることが好ましく、インデックス“２５２”からインデックス“２５５”に対応するオペレーティングバンドはアンライセンスドバンド（ＬＡＡのバンド）であることが好ましい。なお、インデックス“２５２”には、アップリンクオペレーティングバンドが適用されず（n/a, not applicable）、ダウンリンクオペレーティングバンドに５１５０ＭＨｚ−５２５０ＭＨｚが適用され、デュプレックスモードにＦＤＤが適用されることが好ましい。また、インデックス“２５３”には、アップリンクオペレーティングバンドが予約され（将来使用されるものとして予約され）、ダウンリンクオペレーティングバンドが予約され、デュプレックスモードにＦＤＤが適用されることが好ましい。また、インデックス“２５４”には、アップリンクオペレーティングバンドが予約され（将来使用されるものとして予約され）、ダウンリンクオペレーティングバンドが予約され、デュプレックスモードにＦＤＤが適用されることが好ましい。なお、インデックス“２５５”には、アップリンクオペレーティングバンドが適用されず（n/a, not applicable）、ダウンリンクオペレーティングバンドに５７２５ＭＨｚ−５８５０ＭＨｚが適用され、デュプレックスモードにＦＤＤが適用されることが好ましい。なお、５１５０ＭＨｚ−５２５０ＭＨｚと５７２５ＭＨｚ−５８５０ＭＨｚはアンライセンスドバンド（ＬＡＡのバンド）であることが好ましい。すなわち、上記所定の周波数は、インデックス“２５２”からインデックス“２５５”に対応するオペレーティングバンドであることが好ましい。
【０２４７】
また、上記各実施形態では、プライマリセルやＰＳセルという用語を用いて説明したが、必ずしもこれらの用語を用いる必要はない。例えば、上記各実施形態におけるプライマリセルをマスターセルと呼ぶこともできるし、上記各実施形態におけるＰＳセルをプライマリセルと呼ぶこともできる。
【０２４８】
本発明に関わる基地局装置２および端末装置１で動作するプログラムは、本発明に関わる上記実施形態の機能を実現するように、ＣＰＵ（Ｃｅｎｔｒａｌ  Ｐｒｏｃｅｓｓｉｎｇ  Ｕｎｉｔ）等を制御するプログラム（コンピュータを機能させるプログラム）であっても良い。そして、これら装置で取り扱われる情報は、その処理時に一時的にＲＡＭ（Ｒａｎｄｏｍ  Ａｃｃｅｓｓ  Ｍｅｍｏｒｙ）に蓄積され、その後、Ｆｌａｓｈ  ＲＯＭ（Ｒｅａｄ  Ｏｎｌｙ  Ｍｅｍｏｒｙ）などの各種ＲＯＭやＨＤＤ（Ｈａｒｄ  Ｄｉｓｋ  Ｄｒｉｖｅ）に格納され、必要に応じてＣＰＵによって読み出し、修正・書き込みが行われる。
【０２４９】
尚、上述した実施形態における端末装置１、基地局装置２−１あるいは基地局装置２−２の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０２５０】
尚、ここでいう「コンピュータシステム」とは、端末装置１、又は基地局装置２−１あるいは基地局装置２−２に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０２５１】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０２５２】
また、上述した実施形態における基地局装置２−１あるいは基地局装置２−２は、複数の装置から構成される集合体（装置グループ）として実現することもできる。装置グループを構成する装置の各々は、上述した実施形態に関わる基地局装置２−１あるいは基地局装置２−２の各機能または各機能ブロックの一部、または、全部を備えてもよい。装置グループとして、基地局装置２−１あるいは基地局装置２−２の一通りの各機能または各機能ブロックを有していればよい。また、上述した実施形態に関わる端末装置１は、集合体としての基地局装置と通信することも可能である。
【０２５３】
また、上述した実施形態における基地局装置２−１あるいは基地局装置２−２は、ＥＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）であってもよい。また、上述した実施形態における基地局装置２−１あるいは基地局装置２−２は、ｅＮｏｄｅＢに対する上位ノードの機能の一部または全部を有してもよい。
【０２５４】
また、上述した実施形態における端末装置１、基地局装置２−１あるいは基地局装置２−２の一部、又は全部を典型的には集積回路であるＬＳＩとして実現してもよいし、チップセットとして実現してもよい。端末装置１、基地局装置２−１あるいは基地局装置２−２の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０２５５】
また、上述した実施形態では、端末装置もしくは通信装置の一例としてセルラー移動局装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０２５６】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【０２５７】
＜まとめ＞
（１）本発明の一様態による端末装置は、ＰＤＣＣＨを受信する受信部と、サービングセルでＰＵＳＣＨを送信する送信部と、ＰＵＳＣＨの送信が指示されたサブフレームの前に乱数に基づいた回数分ＣＣＡチェックを行う第一のＬＢＴ、または、一回のみＣＣＡチェックを行う第二のＬＢＴを行うＣＣＡチェック部を備える。端末装置は、所定の条件に基づいて、第一のＬＢＴと第二のＬＢＴを切り替える。
【０２５８】
（２）また、本発明の一様態による端末装置は上述の端末装置であって、ＰＤＣＣＨの情報は、１ビットであり、ＰＤＣＣＨの情報が１であった場合に、ＰＵＳＣＨの送信が指示されたサブフレームの前に第一のＬＢＴを行い、ＰＤＣＣＨの情報が０であった場合に、ＰＵＳＣＨの送信が指示されたサブフレームの前に第二のＬＢＴを行う。
【０２５９】
（３）また、本発明の一様態による端末装置は上述の端末装置であって、ＰＵＳＣＨを送信するサブフレームの直前のサブフレームで下りリンク送信バーストを検出しなかった場合に、ＰＵＳＣＨの送信が指示されたサブフレームの前に第一のＬＢＴを行い、ＰＵＳＣＨを送信するサブフレームの直前のサブフレームで下りリンク送信バーストを検出した場合に、ＰＵＳＣＨの送信が指示されたサブフレームの前に第二のＬＢＴを行う。
【０２６０】
（４）また、本発明の一様態による端末装置は上述の端末装置であって、サービングセルとは異なるサービングセルでＰＤＣＣＨのモニタすることが設定された場合に、ＰＵＳＣＨの送信が指示されたサブフレームの前に第一のＬＢＴを行い、サービングセルとは異なるサービングセルでＰＤＣＣＨのモニタすることが設定されなかった場合に、ＰＵＳＣＨの送信が指示されたサブフレームの前に第二のＬＢＴを行う。
【０２６１】
（５）また、本発明の一様態による端末装置は上述の端末装置であって、ＰＵＳＣＨを送信するサブフレームの直前のサブフレームでＰＵＳＣＨを送信していない場合に、ＰＵＳＣＨの送信が指示されたサブフレームの前に第一のＬＢＴを行い、ＰＵＳＣＨを送信するサブフレームの直前のサブフレームでＰＵＳＣＨを送信している場合に、ＰＵＳＣＨの送信が指示されたサブフレームの前でＬＢＴを行わない。
【０２６２】
（６）また、本発明の一様態による基地局装置は、端末装置と通信する基地局装置であって、ＰＤＣＣＨを送信する送信部と、サービングセルでＰＵＳＣＨを受信する受信部を備える。基地局装置は、ＰＵＳＣＨの送信を指示したサブフレームの前に乱数に基づいた回数ＣＣＡチェックを行う第一のＬＢＴと一回のみＣＣＡチェックを行う第二のＬＢＴの切り替えを端末装置に指示する。
【０２６３】
（７）また、本発明の一様態による基地局装置は上述の基地局装置であって、ＰＤＣＣＨの情報は、１ビットであり、端末装置に、ＰＤＣＣＨの情報が１であった場合に、ＰＵＳＣＨの送信を指示したサブフレームの前に第一のＬＢＴを行い、ＰＤＣＣＨの情報が０であった場合に、ＰＵＳＣＨの送信を指示したサブフレームの前に第二のＬＢＴを行うことを指示する。
【０２６４】
（８）また、本発明の一様態による基地局装置は上述の基地局装置であって、端末装置に、サービングセルとは異なるサービングセルでＰＤＣＣＨのモニタすることを設定した場合に、ＰＵＳＣＨの送信を指示したサブフレームの前に第一のＬＢＴを行い、サービングセルとは異なるサービングセルでＰＤＣＣＨのモニタすることを設定しなかった場合に、ＰＵＳＣＨの送信を指示したサブフレームの前に第二のＬＢＴを行うことを指示する。
【０２６５】
（９）また、本発明の一様態による通信方法は、端末装置で用いられる通信方法であって、ＰＤＣＣＨを受信する工程と、サービングセルでＰＵＳＣＨを送信する工程と、ＰＵＳＣＨの送信が指示されたサブフレームの前に乱数に基づいた回数分ＣＣＡチェックを行う第一のＬＢＴ、または、一回のみＣＣＡチェックを行う第二のＬＢＴを行う工程を含む。通信方法は、所定の条件に基づいて、第一のＬＢＴと第二のＬＢＴを切り替える。
【０２６６】
（１０）また、本発明の一様態による通信方法は、端末装置と通信する基地局装置で用いられる通信方法であって、ＰＤＣＣＨを送信する工程と、サービングセルでＰＵＳＣＨを受信する工程を含む。通信方法は、ＰＵＳＣＨの送信を指示したサブフレームの前に乱数に基づいた回数ＣＣＡチェックを行う第一のＬＢＴと一回のみＣＣＡチェックを行う第二のＬＢＴの切り替えを端末装置に指示する。
【０２６７】
＜関連出願の相互参照＞
本出願は、2015年08月05日に出願された日本国特許出願：特願2015-154656に対して優先権の利益を主張するものであり、それを参照することにより、その内容の全てが本書に含まれる。
【符号の説明】
【０２６８】
３０１  上位層
３０２  制御部
３０３  コードワード生成部
３０４  下りリンクサブフレーム生成部
３０５  下りリンク参照信号生成部
３０６  ＯＦＤＭ信号送信部
３０７  送信アンテナ
３０８  受信アンテナ
３０９  ＳＣ−ＦＤＭＡ信号受信部
３１０  上りリンクサブフレーム処理部
３１１  上りリンク制御情報抽出部
４０１  受信アンテナ
４０２  ＯＦＤＭ信号受信部
４０３  下りリンクサブフレーム処理部
４０４  下りリンク参照信号抽出部
４０５  トランスポートブロック抽出部
４０６  制御部
４０７  上位層
４０８  チャネル状態測定部
４０９  上りリンクサブフレーム生成部
４１０  上りリンク制御情報生成部
４１１  ＳＣ−ＦＤＭＡ信号送信部
４１２  送信アンテナ
【図１】
2017022778.tif 000003
【図２】
2017022778.tif 000004
【図３】
2017022778.tif 000005
【図４】
2017022778.tif 000006
【図５】
2017022778.tif 000007
【図６】
2017022778.tif 000008
【図７】
2017022778.tif 000009
【図８】
2017022778.tif 000010
【図９】
2017022778.tif 000011
【図１０】
2017022778.tif 000012
【図１１】
2017022778.tif 000013
【図１２】
2017022778.tif 000014
【図１３】
2017022778.tif 000015
【図１４】
2017022778.tif 000016
【図１５】
2017022778.tif 000017
【国際調査報告】
2017022778.tif 000018
2017022778.tif 000019
2017022778.tif 000020
2017022778.tif 000021